(57)【要約】この出願は、確率不均一変調が実行されるデータの送信効率を改善するための確率不均一変調に基づくデータ送信方法及び装置を開示する。方法は、送信端によって、物理レイヤデータフレームを生成するステップであって、物理レイヤデータフレームは、確率不均一変調が実行されるデータと指示情報とを含み、指示情報は、データ上で確率不均一復調を実行するための復調パラメータを示すために用いられ、前記復調パラメータは、確率不均一変調の変調方式と、確率不均一変調の変調次数とを含み、変調パラメータは、以下のもの、即ち、確率不均一変調が実行される各コンステレーションシンボルの確率、及び、確率不均一変調が実行される各コンステレーションとビットストリームとの間のマッピング関係、のうちの少なくとも１つをさらに含む、ステップと、送信端によって、物理レイヤデータフレームを受信端に送信するステップと、受信端によって、物理レイヤデータフレームを受信するステップと、受信端によって、指示情報に基づいて復調パラメータを決定するステップと、受信端によって、復調パラメータに基づいて、データ上で確率不均一復調を実行するステップとを含む。この出願は、通信技術の分野に関する。
2021517792.tif 000002
【特許請求の範囲】
【請求項１】
送信端によって、物理レイヤデータフレームを生成するステップであって、前記物理レイヤデータフレームは、確率不均一変調が実行されるデータと指示情報とを含み、前記指示情報は、前記データ上で確率不均一復調を実行するための復調パラメータを示すために用いられ、前記復調パラメータは、確率不均一変調の変調方式と、確率不均一変調の変調次数とを含み、前記復調パラメータは、以下のもの、即ち、確率不均一変調が実行される各コンステレーションシンボルの確率、及び、確率不均一変調が実行される各コンステレーションシンボルとビットストリームとの間のマッピング関係、のうちの少なくとも１つをさらに含む、ステップと、
前記送信端によって、前記物理レイヤデータフレームを受信端に送信するステップと、を含む
確率不均一変調に基づくデータ送信方法。
【請求項２】
前記復調パラメータは、確率不均一変調が実行される各コンステレーションシンボルに対応するビットの量をさらに含む
請求項１に記載の確率不均一変調に基づくデータ送信方法。
【請求項３】
前記指示情報は、前記復調パラメータである
請求項１又は２に記載の確率不均一変調に基づくデータ送信方法。
【請求項４】
前記指示情報は、第１の識別子であり、前記第１の識別子は、前記復調パラメータを示すために用いられる
請求項１又は２に記載の確率不均一変調に基づくデータ送信方法。
【請求項５】
前記指示情報は、第２の識別子と、前記復調パラメータの第１の情報部とを含み、前記第２の識別子は、前記復調パラメータの第２の情報部を示すために用いられ、前記復調パラメータは、前記第１の情報部と前記第２の情報部とを含む
請求項１又は２に記載の確率不均一変調に基づくデータ送信方法。
【請求項６】
前記第１の情報部は、情報Ａ及び情報Ｂを含み、前記情報Ａは、確率不均一変調が実行される各コンステレーションシンボルの確率であり、前記情報Ｂは、確率不均一変調が実行される各コンステレーションシンボルとビットストリームとの間のマッピング関係であり、前記情報Ａ及び前記情報Ｂは、前記物理レイヤデータフレームの物理レイヤヘッダ内の異なるフィールドに配置される
請求項５に記載の確率不均一変調に基づくデータ送信方法。
【請求項７】
確率不均一変調に基づく前記データ送信方法は、
前記送信端が前記物理レイヤデータフレームを生成する前に、
前記送信端によって、マルチレベルコーダ及び決定論的等長マッパを用いることによって前記データを生成するステップ、又は
前記送信端によって、シングルレベルコーダ及び決定論的等長マッパを用いることによって前記データを生成するステップ、をさらに含む
請求項１〜６のいずれか１項に記載の確率不均一変調に基づくデータ送信方法。
【請求項８】
前記指示情報は、前記物理レイヤデータフレームの前記物理レイヤヘッダ内に配置される
請求項１〜７のいずれか１項に記載の確率不均一変調に基づくデータ送信方法。
【請求項９】
前記物理レイヤデータフレームは、光無線通信のために用いられる、
請求項１〜８のいずれか１項に記載の確率不均一変調に基づくデータ送信方法。
【請求項１０】
受信端によって、物理レイヤデータフレームを受信するステップであって、前記物理レイヤデータフレームは、確率不均一変調が実行されるデータと指示情報とを含み、前記指示情報は、前記データ上で確率不均一復調を実行するための復調パラメータを示すために用いられ、前記復調パラメータは、確率不均一変調の変調方式と、確率不均一変調の変調次数とを含み、前記復調パラメータは、以下のもの、即ち、確率不均一変調が実行される各コンステレーションシンボルの確率、及び、確率不均一変調が実行される各コンステレーションシンボルとビットストリームとの間のマッピング関係、のうちの少なくとも１つをさらに含む、ステップと、
前記受信端によって、前記指示情報に基づいて前記復調パラメータを決定するステップと、
前記受信端によって、前記復調パラメータに基づいて前記データ上での確率不均一復調を実行するステップと、を含む
確率不均一変調に基づくデータ送信方法。
【請求項１１】
前記復調パラメータは、確率不均一変調が実行される各コンステレーションシンボルに対応するビットの量をさらに含む
請求項１０に記載の確率不均一変調に基づくデータ送信方法。
【請求項１２】
前記指示情報は、前記復調パラメータである
請求項１０又は１１に記載の確率不均一変調に基づくデータ送信方法。
【請求項１３】
前記指示情報は、第１の識別子であり、前記第１の識別子は、前記復調パラメータを示すために用いられ、
前記受信端によって、前記指示情報に基づいて前記復調パラメータを決定する前記ステップは、
前記受信端によって、前記第１の識別子、及び、識別子と復調パラメータとの間の対応関係に基づいて、前記データ上で確率不均一復調を実行するための前記復調パラメータを決定するステップであって、前記識別子は、前記第１の識別子を含む、ステップを含む、
請求項１０又は１１に記載の確率不均一変調に基づくデータ送信方法。
【請求項１４】
前記指示情報は、第２の識別子と、前記復調パラメータの第１の情報部とを含み、前記第２の識別子は、前記復調パラメータの第２の情報部を示すために用いられ、前記復調パラメータは、前記第１の情報部と前記第２の情報部とを含み、
前記受信端によって、前記指示情報に基づいて前記復調パラメータを決定する前記ステップは、
前記受信端によって、前記物理レイヤデータフレームに基づいて、前記復調パラメータの前記第１の情報部を取得するステップと、
前記受信端によって、前記第２の識別子、及び、識別子と復調パラメータとの間の対応関係に基づいて、前記データ上で確率不均一復調を実行するための前記復調パラメータの前記第２の情報部を決定するステップであって、前記識別子は、前記第２の識別子を含む、ステップと、を含む
請求項１０又は１１に記載の確率不均一変調に基づくデータ送信方法。
【請求項１５】
前記第１の情報部は、情報Ａ及び情報Ｂを含み、前記情報Ａは、確率不均一変調が実行される各コンステレーションシンボルの確率であり、前記情報Ｂは、確率不均一変調が実行される各コンステレーションシンボルとビットストリームとの間のマッピング関係であり、前記情報Ａ及び前記情報Ｂは、前記物理レイヤデータフレームの物理レイヤヘッダ内の異なるフィールドに配置される
請求項１４に記載の確率不均一変調に基づくデータ送信方法。
【請求項１６】
前記受信端によって、前記復調パラメータに基づいて、前記データ上で確率不均一復調を実行する前記ステップは、
マルチレベルコーダ及び決定論的等長マッパを用いることによって前記データが生成されているとき、前記受信端によって、マルチレベルデコーダ及び前記復調パラメータを用いることによって、前記データ上で確率不均一復調を実行するステップ、又は
シングルレベルコーダ及び決定論的等長マッパを用いることによって前記データが生成されているとき、前記受信端によって、ジョイントデマッピングデコーダ及び前記復調パラメータを用いることによって、前記データ上で確率不均一復調を実行するステップを含む
請求項１０〜１５のいずれか１項に記載の確率不均一変調に基づくデータ送信方法。
【請求項１７】
前記指示情報は、前記物理レイヤデータフレームの前記物理レイヤヘッダ内に配置される
請求項１０〜１６のいずれか１項に記載の確率不均一変調に基づくデータ送信方法。
【請求項１８】
前記物理レイヤデータフレームは、光無線通信のために用いられる
請求項１０〜１７のいずれか１項に記載の確率不均一変調に基づくデータ送信方法。
【請求項１９】
処理ユニットと、通信ユニットとを含む、確率不均一変調に基づくデータ送信装置であって、
前記処理ユニットは、物理レイヤデータフレームを生成するように構成され、
前記物理レイヤデータフレームは、確率不均一変調が実行されるデータと指示情報とを含み、前記指示情報は、前記データ上で確率不均一復調を実行するための復調パラメータを示すために用いられ、前記復調パラメータは、確率不均一変調の変調方式と、確率不均一変調の変調次数とを含み、前記復調パラメータは、確率不均一変調が実行される各コンステレーションシンボルの確率、及び、確率不均一変調が実行される各コンステレーションシンボルとビットストリームとの間のマッピング関係、のうちの少なくとも１つをさらに含み、
前記通信ユニットは、前記物理レイヤデータフレームを受信端に送信するように構成される
確率不均一変調に基づくデータ送信装置。
【請求項２０】
前記復調パラメータは、確率不均一変調が実行される各コンステレーションシンボルに対応するビットの量をさらに含む
請求項１９に記載の確率不均一変調に基づくデータ送信装置。
【請求項２１】
前記指示情報は、前記復調パラメータである
請求項１９又は２０に記載の確率不均一変調に基づくデータ送信装置。
【請求項２２】
前記指示情報は、第１の識別子であり、前記第１の識別子は、前記復調パラメータを示すために用いられる
請求項１９又は２０に記載の確率不均一変調に基づくデータ送信装置。
【請求項２３】
前記指示情報は、第２の識別子と、前記復調パラメータの第１の情報部とを含み、前記第２の識別子は、前記復調パラメータの第２の情報部を示すために用いられ、前記復調パラメータは、前記第１の情報部と前記第２の情報部とを含む
請求項１９又は２０に記載の確率不均一変調に基づくデータ送信装置。
【請求項２４】
前記第１の情報部は、情報Ａ及び情報Ｂを含み、前記情報Ａは、確率不均一変調が実行される各コンステレーションシンボルの確率であり、前記情報Ｂは、確率不均一変調が実行される各コンステレーションシンボルとビットストリームとの間のマッピング関係であり、前記情報Ａ及び前記情報Ｂは、前記物理レイヤデータフレームの物理レイヤヘッダ内の異なるフィールドに配置される
請求項２３に記載の確率不均一変調に基づくデータ送信装置。
【請求項２５】
前記処理ユニットは、
マルチレベルコーダ及び決定論的等長マッパを用いることによって前記データを生成するか、又は
シングルレベルコーダ及び決定論的等長マッパを用いることによって前記データを生成するようにさらに構成される
請求項１９〜２４のいずれか１項に記載の確率不均一変調に基づくデータ送信装置。
【請求項２６】
前記指示情報は、前記物理レイヤデータフレームの前記物理レイヤヘッダ内に配置される
請求項１９〜２５のいずれか１項に記載の確率不均一変調に基づくデータ送信装置。
【請求項２７】
前記物理レイヤデータフレームは、光無線通信のために用いられる
請求項１９〜２６のいずれか１項に記載の確率不均一変調に基づくデータ送信装置。
【請求項２８】
処理ユニットと、通信ユニットとを含む、確率不均一変調に基づくデータ送信装置であって、
前記通信ユニットは、物理レイヤデータフレームを受信するように構成され、
前記物理レイヤデータフレームは、確率不均一変調が実行されるデータと指示情報とを含み、前記指示情報は、前記データ上で確率不均一復調を実行するための復調パラメータを示すために用いられ、前記復調パラメータは、確率不均一変調の変調方式と、確率不均一変調の変調次数とを含み、前記復調パラメータは、次のもの、即ち、確率不均一変調が実行される各コンステレーションシンボルの確率、及び、確率不均一変調が実行される各コンステレーションシンボルとビットストリームとの間のマッピング関係、のうちの少なくとも１つをさらに含み、
前記処理ユニットは、前記指示情報に基づいて、前記復調パラメータを決定するように構成され、
前記処理ユニットは、前記復調パラメータに基づいて、前記データ上で確率不均一復調を実行するように構成される
確率不均一変調に基づくデータ送信装置。
【請求項２９】
前記復調パラメータは、確率不均一変調が実行される各コンステレーションシンボルに対応するビットの量をさらに含む
請求項２８に記載の確率不均一変調に基づくデータ送信装置。
【請求項３０】
前記指示情報は、前記復調パラメータである
請求項２８又は２９に記載の確率不均一変調に基づくデータ送信装置。
【請求項３１】
前記指示情報は、第１の識別子であり、前記第１の識別子は、前記復調パラメータを示すために用いられ、
前記処理ユニットは、前記第１の識別子、及び、識別子と復調パラメータとの間の対応関係に基づいて、前記データ上で確率不均一復調を実行するための前記復調パラメータを決定するように特に構成され、前記識別子は、前記第１の識別子を含む
請求項２８又は２９に記載の確率不均一変調に基づくデータ送信装置。
【請求項３２】
前記指示情報は、第２の識別子と、前記復調パラメータの第１の情報部とを含み、前記第２の識別子は、前記復調パラメータの第２の情報部を示すために用いられ、前記復調パラメータは、前記第１の情報部と前記第２の情報部とを含み、
前記処理ユニットは、
前記物理レイヤデータフレームに基づいて、前記復調パラメータの前記第１の情報部を取得し、前記第２の識別子、及び、識別子と復調パラメータとの間の対応関係に基づいて、前記データ上で確率不均一復調を実行するための前記復調パラメータの前記第２の情報部を決定するように特に構成され、
前記識別子は、前記第２の識別子を含む
請求項２８又は２９に記載の確率不均一変調に基づくデータ送信装置。
【請求項３３】
前記第１の情報部は、情報Ａ及び情報Ｂを含み、前記情報Ａは、確率不均一変調が実行される各コンステレーションシンボルの確率であり、前記情報Ｂは、確率不均一変調が実行される各コンステレーションシンボルとビットストリームとの間のマッピング関係であり、前記情報Ａ及び前記情報Ｂは、前記物理レイヤデータフレームの物理レイヤヘッダ内の異なるフィールドに配置される
請求項３２に記載の確率不均一変調に基づくデータ送信装置。
【請求項３４】
前記処理ユニットは、
マルチレベルコーダ及び決定論的等長マッパを用いることによって前記データが生成されているとき、マルチレベルデコーダ及び前記復調パラメータを用いることによって、前記データ上で確率不均一復調を実行するか、又は
シングルレベルコーダ及び決定論的等長マッパを用いることによって前記データが生成されているとき、ジョイントデマッピングデコーダ及び前記復調パラメータを用いることによって、前記データ上で確率不均一復調を実行するようにさらに構成される
請求項２８〜３３のいずれか１項に記載の確率不均一変調に基づくデータ送信装置。
【請求項３５】
前記指示情報は、前記物理レイヤデータフレームの前記物理レイヤヘッダ内に配置される
請求項２８〜３４のいずれか１項に記載の確率不均一変調に基づくデータ送信装置。
【請求項３６】
前記物理レイヤデータフレームは、光無線通信のために用いられる
請求項２８〜３５のいずれか１項に記載の確率不均一変調に基づくデータ送信装置。
【請求項３７】
メモリとプロセッサとを含む確率不均一変調に基づくデータ送信装置であって、
前記メモリは、コンピュータ実行可能命令を格納するように構成され、前記プロセッサは、前記メモリに格納された前記コンピュータ実行可能命令を実行し、それによって、確率不均一変調に基づく前記データ送信装置が、請求項１〜９のいずれか１項に記載の確率不均一変調に基づく前記データ送信方法を実行する
確率不均一変調に基づくデータ送信装置。
【請求項３８】
メモリとプロセッサとを含む確率不均一変調に基づくデータ送信装置であって、
前記メモリは、コンピュータ実行可能命令を格納するように構成され、前記プロセッサは、前記メモリに格納された前記コンピュータ実行可能命令を実行し、それによって、確率不均一変調に基づく前記データ送信装置が、請求項１０〜１８のいずれか１項に記載の確率不均一変調に基づく前記データ送信方法を実行する
確率不均一変調に基づくデータ送信装置。
【請求項３９】
１つ以上のプロセッサと、１つ以上のメモリと、１つ以上のベースバンド処理モジュールと、１つ以上の光源ドライバと、１つ以上の光源とを備える、確率不均一変調に基づくデータ送信装置であって、
前記メモリは、プログラム命令を格納するように構成され、前記プロセッサは、前記メモリ内に格納された前記プログラム命令に従って、前記ベースバンド処理モジュール、前記光源ドライバ、及び前記光源を制御して、請求項１〜９のいずれか１項に記載の前記方法を実行するように構成され、
前記ベースバンド処理モジュールは、物理レイヤデータフレームを生成し、前記物理レイヤデータフレームを前記光源ドライバに送るように構成され、
前記光源ドライバは、直流又は直流電圧を生成し、受け取った前記物理レイヤデータフレームを前記直流又は前記直流電圧に重畳してバイアスを持つ電気信号を生成し、バイアスを持つ前記電気信号を前記光源に送るように構成され、
前記光源は、バイアスを持つ前記電気信号に基づいて光信号を生成するように構成される
確率不均一変調に基づくデータ送信装置。
【請求項４０】
１つ以上のプロセッサと、１つ以上のメモリと、１つ以上のベースバンド処理モジュールと、１つ以上の光電検出器と、１つ以上の光学アンテナとを備える、確率不均一変調に基づくデータ送信装置であって、
前記メモリは、プログラム命令を格納するように構成され、前記プロセッサは、前記メモリに格納された前記プログラム命令に従って、前記ベースバンド処理モジュール、前記光電検出器、及び前記光学アンテナを制御して、請求項１０〜１８のいずれか１項に記載の前記方法を実行するように構成され、
前記光学アンテナは、光信号を受信し、前記光信号を前記光電検出器に送るように構成され、
前記光電検出器は、前記光信号を受け取り、前記光信号を、バイアスを持つ電気信号に変換し、バイアスを持つ前記電気信号を前記ベースバンド処理モジュールに送るように構成され、バイアスを持つ前記電気信号は、バイアスを持つ電流信号又はバイアスを持つ電圧信号であり、
前記ベースバンド処理モジュールは、バイアスを持つ前記電気信号を受け取り、バイアスを持つ前記電気信号上での信号処理を実行して物理レイヤデータフレームを取得し、確率不均一復調及び確率不均一復調パラメータに基づくデータ上でのデコード処理を実行するように構成され、
前記確率不均一復調パラメータは、前記物理レイヤデータフレーム内の指示情報によって示される復調パラメータであり、前記データは、前記物理レイヤデータフレームで運ばれ、且つ確率不均一変調が実行されているデータである
確率不均一変調に基づくデータ送信装置。
【請求項４１】
命令を含むコンピュータ可読記録媒体であって、前記命令がコンピュータ上で実行されるとき、前記コンピュータが、請求項１〜１８のいずれか１項に記載の前記方法を実行できるようになる、コンピュータ可読記録媒体。
【請求項４２】
命令を含むコンピュータプログラム製品であって、前記コンピュータプログラム製品がコンピュータ上で実行されるとき、前記コンピュータが、請求項１〜１８のいずれか１項に記載の前記方法を実行できるようになる、コンピュータプログラム製品。
【発明の詳細な説明】
【技術分野】
【０００１】
本出願は、通信技術の分野に関し、詳細には、確率不均一変調に基づくデータ送信方法及び装置に関する。
【背景技術】
【０００２】
本出願は、それらの全体が参照により本明細書に組み込まれる、２０１８年４月１２日に中国国家知識産権局で出願された「ＰＲＯＢＡＢＩＬＩＴＹ  ＮＯＮ−ＵＮＩＦＯＲＭ  ＳＩＧＮＡＬ  ＭＯＤＵＬＡＴＩＯＮ  ＭＥＴＨＯＤ」と題する中国特許出願第２０１８１０３２７４５５．２号の優先権、及び２０１８年７月２７日に中国国家知識産権局で出願された「ＤＡＴＡ  ＴＲＡＮＳＭＩＳＳＩＯＮ  ＭＥＴＨＯＤ  ＡＮＤ  ＡＰＰＡＲＡＴＵＳ  ＢＡＳＥＤ  ＯＮ  ＰＲＯＢＡＢＩＬＩＴＹ  ＮＯＮ−ＵＮＩＦＯＲＭ  ＭＯＤＵＬＡＴＩＯＮ」と題する中国特許出願第２０１８１０８４７８７７．２号の優先権を主張する。
【０００３】
従来技術では、ほとんどの変調技術（例えば、従来の直交振幅変調（Ｑｕａｄｒａｔｕｒｅ  Ａｍｐｌｉｔｕｄｅ  Ｍｏｄｕｌａｔｉｏｎ、略してＱＡＭ））は、同じコンステレーションシンボル確率を有し、ノイズ分布及び電力制限などの制約条件を考慮することなしに設計された変調技術である。そのような変調技術では、入力振幅制約があるか又は異なるノイズ分布があるとき、チャネル容量が不十分であるかビットエラーレート性能が良くない。
【発明の概要】
【０００４】
本出願の実施形態は、確率不均一変調が実行されるデータの送信効率を改善するための、確率不均一変調に基づくデータ送信方法及び装置を提供する。
【０００５】
一態様によれば、本出願において提供される実施形態は以下を含む。
【０００６】
１．確率不均一変調に基づくデータ送信方法は、送信端によって、物理レイヤデータフレームを生成するステップであって、物理レイヤデータフレームは、確率不均一変調が実行されるデータ、及び指示情報を含み、指示情報は、データ上で確率不均一復調を実行するための復調パラメータを示すために使用され、復調パラメータは、確率不均一変調の変調方式、及び確率不均一変調の変調次数を含み、復調パラメータは、以下のもの、即ち、確率不均一変調が実行される各コンステレーションシンボルの確率、及び確率不均一変調が実行される各コンステレーションシンボルとビットストリームとの間のマッピング関係のうちの少なくとも１つをさらに含む、ステップと、送信端によって、物理レイヤデータフレームを受信端に送るステップとを含む。この実施形態において提供される方法では、送信端は、確率不均一変調が実行されるデータを受信端に送り、受信端は、データ上で確率不均一復調を実行し、従って、通信システムは、より良い整形利得を取得することができ、入力振幅制約があるとき又はショットノイズを伴うチャネル上で、送信レートがチャネル容量により近くなるか又はより良いビットエラーレート性能が取得され、それにより、確率不均一変調が実行されるデータの送信効率を改善する。
【０００７】
２．実施形態１によれば、復調パラメータは、確率不均一変調が実行される各コンステレーションシンボルに対応するビットの量をさらに含む。この実施形態では、送信端は、確率不均一変調のための複数の復調パラメータを受信端に送って、確率不均一コンステレーションシンボル上で受信端によって実行される復調の正当性を改善し得る。
【０００８】
３．実施形態１又は２によれば、指示情報は復調パラメータである。この実施形態では、送信端は、復調パラメータを明示的に示して、受信端の復調複雑性を低減し得る。
【０００９】
４．実施形態１又は２によれば、指示情報は第１の識別子であり、第１の識別子は、復調パラメータを示すために使用される。この実施形態では、送信端は、受信端が復調パラメータを取得することを可能にするために、物理レイヤデータフレームに全ての復調パラメータを追加する必要はなく、物理レイヤデータフレームに第１の識別子のみを追加する必要があり、従って、確率不均一復調のための復調パラメータは比較的小さい情報冗長性で搬送され、それにより、送信効率を改善し、送信リソースを節約する。
【００１０】
５．実施形態１又は２によれば、指示情報は、復調パラメータの第２の識別子及び第１の情報部を含み、第２の識別子は、復調パラメータの第２の情報部を示すために使用され、復調パラメータは、第１の情報部及び第２の情報部を含む。この実施形態では、送信端は、物理レイヤデータフレームに第２の識別子を追加し、物理レイヤデータフレームに復調パラメータのいくつか（即ち、第１の情報部）を追加し、従って、受信端は、復調パラメータのいくつかを直接取得することができ、それにより、送信効率を保証しながら、復調器の復調遅延及び復調複雑性を低減する。
【００１１】
６．実施形態５によれば、第１の情報部は、情報Ａ及び情報Ｂを含み、情報Ａは、確率不均一変調が実行される各コンステレーションシンボルの確率であり、情報Ｂは、確率不均一変調が実行される各コンステレーションシンボルとビットストリームとの間のマッピング関係であり、情報Ａと情報Ｂは、物理レイヤデータフレームの物理レイヤヘッダ中の異なるフィールド中に配置される。この実施形態では、送信端は、物理レイヤデータフレームに復調パラメータのいくつか（即ち、第１の情報部）を追加し、従って、受信端は、復調パラメータのいくつかを直接取得することができ、それにより、送信効率を保証しながら、復調器の復調遅延及び復調複雑性を低減する。
【００１２】
７．実施形態１から実施形態６のいずれか１つによれば、確率不均一変調に基づくデータ送信方法は、送信端が物理レイヤデータフレームを生成する前に、送信端によって、マルチレベルコーダ及び決定論的等長マッパを使用することによってデータを生成するステップ、又は送信端が物理レイヤデータフレームを生成する前に、送信端によって、シングルレベルコーダ及び決定論的等長マッパを使用することによってデータを生成するステップをさらに含む。この実施形態では、送信端は、複数の方式で物理レイヤデータフレーム中のデータを生成し得る。
【００１３】
８．実施形態１から実施形態７のいずれか１つによれば、指示情報は、物理レイヤデータフレームの物理レイヤヘッダ中に配置される。
【００１４】
９．実施形態１から実施形態８のいずれか１つによれば、物理レイヤデータフレームは、光無線通信のために使用される。
【００１５】
１０．確率不均一変調に基づくデータ送信方法は、受信端によって、物理レイヤデータフレームを受信するステップであって、物理レイヤデータフレームは、確率不均一変調が実行されるデータ、及び指示情報を含み、指示情報は、データ上で確率不均一復調を実行するための復調パラメータを示すために使用され、復調パラメータは、確率不均一変調の変調方式、及び確率不均一変調の変調次数を含み、復調パラメータは、以下のもの、即ち、確率不均一変調が実行される各コンステレーションシンボルの確率、及び確率不均一変調が実行される各コンステレーションシンボルとビットストリームとの間のマッピング関係のうちの少なくとも１つをさらに含む、ステップと、受信端によって、指示情報に基づいて復調パラメータを決定するステップと、受信端によって、復調パラメータに基づいてデータ上で確率不均一復調を実行するステップとを含む。この実施形態では、送信端は、確率不均一変調が実行されるデータを受信端に送り、受信端は、データ上で確率不均一復調を実行し、従って、通信システムは、より良い整形利得を取得することができ、入力振幅制約があるとき又はショットノイズを伴うチャネル上で、送信レートがチャネル容量により近くなるか又はより良いビットエラーレート性能が取得され、それにより、確率不均一変調が実行されるデータの送信効率を改善する。
【００１６】
１１．実施形態１０によれば、復調パラメータは、確率不均一変調が実行される各コンステレーションシンボルに対応するビットの量をさらに含む。この実施形態では、送信端は、確率不均一変調のための複数の復調パラメータを受信端に送って、確率不均一コンステレーションシンボル上で受信端によって実行される復調の正当性を改善し得る。
【００１７】
１２．実施形態１０又は１１によれば、指示情報は復調パラメータである。この実施形態では、送信端は、復調パラメータを明示的に示して、受信端の復調複雑性を低減し得る。
【００１８】
１３．実施形態１０又は１１によれば、指示情報は第１の識別子であり、第１の識別子は、復調パラメータを示すために使用され、受信端によって、指示情報に基づいて復調パラメータを決定するステップは、第１の識別子、及び識別子と復調パラメータとの間の対応関係に基づいて受信端によって、データ上で確率不均一復調を実行するための復調パラメータを決定するステップを含み、識別子は第１の識別子を含む。この実施形態では、送信端は、受信端が復調パラメータを取得することを可能にするために、物理レイヤデータフレームに全ての復調パラメータを追加する必要はなく、物理レイヤデータフレームに第１の識別子のみを追加する必要があり、従って、確率不均一復調のための復調パラメータは比較的小さい情報冗長性で搬送され、それにより、送信効率を改善し、送信リソースを節約する。
【００１９】
１４．実施形態１０又は１１によれば、指示情報は、復調パラメータの第２の識別子及び第１の情報部を含み、第２の識別子は、復調パラメータの第２の情報部を示すために使用され、復調パラメータは、第１の情報部及び第２の情報部を含み、受信端によって、指示情報に基づいて復調パラメータを決定するステップは、受信端によって、物理レイヤデータフレームに基づいて復調パラメータの第１の情報部を取得するステップと、第２の識別子、及び識別子と復調パラメータとの間の対応関係に基づいて受信端によって、データ上で確率不均一復調を実行するための復調パラメータの第２の情報部を決定するステップであって、識別子は第２の識別子を含む、ステップとを含む。この実施形態では、送信端は、物理レイヤデータフレームに第２の識別子を追加し、物理レイヤデータフレームに復調パラメータのいくつか（即ち、第１の情報部）を追加し、従って、受信端は、復調パラメータのいくつかを直接取得することができ、それにより、送信効率を保証しながら、復調器の復調遅延及び復調複雑性を低減する。
【００２０】
１５．実施形態１４によれば、第１の情報部は、情報Ａ及び情報Ｂを含み、情報Ａは、確率不均一変調が実行される各コンステレーションシンボルの確率であり、情報Ｂは、確率不均一変調が実行される各コンステレーションシンボルとビットストリームとの間のマッピング関係であり、情報Ａと情報Ｂは、物理レイヤデータフレームの物理レイヤヘッダ中の異なるフィールド中に配置される。この実施形態では、送信端は、物理レイヤデータフレームに復調パラメータのいくつか（即ち、第１の情報部）を追加し、従って、受信端は、復調パラメータのいくつかを直接取得することができ、それにより、送信効率を保証しながら、復調器の復調遅延及び復調複雑性を低減する。
【００２１】
１６．実施形態１０から実施形態１５のいずれか１つによれば、受信端によって、復調パラメータに基づいてデータ上で確率不均一復調を実行するステップは、送信端がマルチレベルコーダ及び決定論的等長マッパを使用することによってデータを生成したとき、受信端によって、マルチレベルデコーダ及び復調パラメータを使用することによってデータ上で確率不均一復調を実行するステップ、又は送信端がシングルレベルコーダ及び決定論的等長マッパを使用することによってデータを生成したとき、受信端によって、ジョイントデマッピングデコーダ及び復調パラメータを使用することによってデータ上で確率不均一復調を実行するステップを含む。この実施形態では、データが複数の方式で生成されたとき、受信端は、対応する復調方式で復調を実行し得る。
【００２２】
１７．実施形態１０から実施形態１６のいずれか１つによれば、指示情報は、物理レイヤデータフレームの物理レイヤヘッダ中に配置される。
【００２３】
１８．実施形態１０から実施形態１７のいずれか１つによれば、物理レイヤデータフレームは、光無線通信のために使用される。
【００２４】
１９．確率不均一変調に基づくデータ送信装置は、処理ユニット及び通信ユニットを含み、処理ユニットは、物理レイヤデータフレームを生成するように構成され、物理レイヤデータフレームは、確率不均一変調が実行されるデータ、及び指示情報を含み、指示情報は、データ上で確率不均一復調を実行するための復調パラメータを示すために使用され、復調パラメータは、確率不均一変調の変調方式、及び確率不均一変調の変調次数を含み、復調パラメータは、以下のもの、即ち、確率不均一変調が実行される各コンステレーションシンボルの確率、及び確率不均一変調が実行される各コンステレーションシンボルとビットストリームとの間のマッピング関係のうちの少なくとも１つをさらに含み、通信ユニットは、物理レイヤデータフレームを受信端に送るように構成される。
【００２５】
２０．実施形態１９によれば、復調パラメータは、確率不均一変調が実行される各コンステレーションシンボルに対応するビットの量をさらに含む。
【００２６】
２１．実施形態１９又は２０によれば、指示情報は復調パラメータである。
【００２７】
２２．実施形態１９又は２０によれば、指示情報は第１の識別子であり、第１の識別子は、復調パラメータを示すために使用される。
【００２８】
２３．実施形態１９又は２０によれば、指示情報は、復調パラメータの第２の識別子及び第１の情報部を含み、第２の識別子は、復調パラメータの第２の情報部を示すために使用され、復調パラメータは、第１の情報部及び第２の情報部を含む。
【００２９】
２４．実施形態２３によれば、第１の情報部は、情報Ａ及び情報Ｂを含み、情報Ａは、確率不均一変調が実行される各コンステレーションシンボルの確率であり、情報Ｂは、確率不均一変調が実行される各コンステレーションシンボルとビットストリームとの間のマッピング関係であり、情報Ａと情報Ｂは、物理レイヤデータフレームの物理レイヤヘッダ中の異なるフィールド中に配置される。
【００３０】
２５．実施形態１９から実施形態２４のいずれか１つによれば、処理ユニットは、マルチレベルコーダ及び決定論的等長マッパを使用することによってデータを生成するか、又はシングルレベルコーダ及び決定論的等長マッパを使用することによってデータを生成するようにさらに構成される。
【００３１】
２６．実施形態１９から実施形態２５のいずれか１つによれば、指示情報は、物理レイヤデータフレームの物理レイヤヘッダ中に配置される。
【００３２】
２７．実施形態１９から実施形態２６のいずれか１つによれば、物理レイヤデータフレームは、光無線通信のために使用される。
【００３３】
２８．確率不均一変調に基づくデータ送信装置は、処理ユニット及び通信ユニットを含み、通信ユニットは、物理レイヤデータフレームを受信するように構成され、物理レイヤデータフレームは、確率不均一変調が実行されるデータ、及び指示情報を含み、指示情報は、データ上で確率不均一復調を実行するための復調パラメータを示すために使用され、復調パラメータは、確率不均一変調の変調方式、及び確率不均一変調の変調次数を含み、復調パラメータは、以下のもの、即ち、確率不均一変調が実行される各コンステレーションシンボルの確率、及び確率不均一変調が実行される各コンステレーションシンボルとビットストリームとの間のマッピング関係のうちの少なくとも１つをさらに含み、処理ユニットは、指示情報に基づいて復調パラメータを決定するように構成され、処理ユニットは、復調パラメータに基づいてデータ上で確率不均一復調を実行するように構成される。
【００３４】
２９．実施形態２８によれば、復調パラメータは、確率不均一変調が実行される各コンステレーションシンボルに対応するビットの量をさらに含む。
【００３５】
３０．実施形態２８又は２９によれば、指示情報は復調パラメータである。
【００３６】
３１．実施形態２８又は２９によれば、指示情報は第１の識別子であり、第１の識別子は、復調パラメータを示すために使用される。処理ユニットは、第１の識別子、及び識別子と復調パラメータとの間の対応関係に基づいて、データ上で確率不均一復調を実行するための復調パラメータを決定するように特に構成され、識別子は第１の識別子を含む。
【００３７】
３２．実施形態２８又は２９によれば、指示情報は、復調パラメータの第２の識別子及び第１の情報部を含み、第２の識別子は、復調パラメータの第２の情報部を示すために使用され、復調パラメータは、第１の情報部及び第２の情報部を含む。処理ユニットは、物理レイヤデータフレームに基づいて復調パラメータの第１の情報部を取得し、第２の識別子、及び識別子と復調パラメータとの間の対応関係に基づいて、データ上で確率不均一復調を実行するための復調パラメータの第２の情報部を決定するように特に構成され、識別子は第２の識別子を含む。
【００３８】
３３．実施形態３２によれば、第１の情報部は、情報Ａ及び情報Ｂを含み、情報Ａは、確率不均一変調が実行される各コンステレーションシンボルの確率であり、情報Ｂは、確率不均一変調が実行される各コンステレーションシンボルとビットストリームとの間のマッピング関係であり、情報Ａと情報Ｂは、物理レイヤデータフレームの物理レイヤヘッダ中の異なるフィールド中に配置される。
【００３９】
３４．実施形態２８から実施形態３３のいずれか１つによれば、処理ユニットは、マルチレベルコーダ及び決定論的等長マッパを使用することによってデータが生成されたとき、マルチレベルデコーダ及び復調パラメータを使用することによってデータ上で確率不均一復調を実行するか、又はシングルレベルコーダ及び決定論的等長マッパを使用することによってデータが生成されたとき、ジョイントデマッピングデコーダ及び復調パラメータを使用することによってデータ上で確率不均一復調を実行するようにさらに構成される。
【００４０】
３５．実施形態２８から実施形態３４のいずれか１つによれば、指示情報は、物理レイヤデータフレームの物理レイヤヘッダ中に配置される。
【００４１】
３６．実施形態２８から実施形態３５のいずれか１つによれば、物理レイヤデータフレームは、光無線通信のために使用される。
【００４２】
３７．確率不均一変調に基づくデータ送信装置は、メモリ及びプロセッサを含み、メモリは、コンピュータ実行可能命令を格納するように構成され、プロセッサは、メモリに格納されたコンピュータ実行可能命令を実行し、それにより、確率不均一変調に基づくデータ送信装置は、実施形態１から実施形態９のいずれか１つによる確率不均一変調に基づくデータ送信方法を実施する。
【００４３】
３８．確率不均一変調に基づくデータ送信装置は、メモリ及びプロセッサを含み、メモリは、コンピュータ実行可能命令を格納するように構成され、プロセッサは、メモリに格納されたコンピュータ実行可能命令を実行し、それにより、確率不均一変調に基づくデータ送信装置は、実施形態１０から実施形態１８のいずれか１つによる確率不均一変調に基づくデータ送信方法を実施する。
【００４４】
３９．確率不均一変調に基づくデータ送信装置は、１つ又は複数のプロセッサ、１つ又は複数のメモリ、１つ又は複数のベースバンド処理モジュール、１つ又は複数の光源ドライバ、及び１つ又は複数の光源を含む。メモリは、プログラム命令を記憶するように構成される。プロセッサは、メモリに記憶されたプログラム命令に従って、実施形態１から実施形態９のいずれか１つによる方法を実施するようにベースバンド処理モジュール、光源ドライバ、及び光源を制御するように構成される。ベースバンド処理モジュールは、物理レイヤデータフレームを生成し、物理レイヤデータフレームを光源ドライバに送るように構成される。光源ドライバは、直流電流又は直流電圧を生成し、受信された物理レイヤデータフレームを直流電流又は直流電圧と重畳して、バイアスを持つ電気信号を生成し、バイアスを持つ電気信号を光源に送るように構成される。光源は、バイアスを持つ電気信号に基づいて光信号を生成するように構成される。
【００４５】
４０．確率不均一変調に基づくデータ送信装置は、１つ又は複数のプロセッサ、１つ又は複数のメモリ、１つ又は複数のベースバンド処理モジュール、１つ又は複数の光電検出器、及び１つ又は複数の光アンテナを含む。メモリは、プログラム命令を記憶するように構成される。プロセッサは、メモリに記憶されたプログラム命令に従って、実施形態１０から実施形態１８のいずれか１つによる方法を実施するようにベースバンド処理モジュール、光電検出器、及び光アンテナを制御するように構成される。光アンテナは、光信号を受信し、光信号を光電検出器に送るように構成される。光電検出器は、光信号を受信し、光信号を、バイアスを持つ電気信号に変換し、バイアスを持つ電気信号をベースバンド処理モジュールに送るように構成され、バイアスを持つ電気信号は、バイアスを持つ電流信号又はバイアスを持つ電圧信号である。ベースバンド処理モジュールは、バイアスを持つ電気信号を受信し、バイアスを持つ電気信号上で信号処理を実行して物理レイヤデータフレームを取得し、確率不均一復調パラメータに基づいてデータ上で確率不均一復調処理及び復号処理を実施するように構成され、確率不均一復調パラメータは、物理レイヤデータフレーム中の指示情報によって示される復調パラメータであり、データは、物理レイヤデータフレーム中で搬送され、確率不均一変調が実行される、データである。
【００４６】
４１．コンピュータ可読記憶媒体は、命令を含み、命令がコンピュータ上で実行されたとき、コンピュータは、実施形態１から実施形態１８のいずれか１つによるいずれかの方法を実施することを可能にされる。
【００４７】
４２．コンピュータプログラム製品は、命令を含み、コンピュータプログラム製品がコンピュータ上で実行されたとき、コンピュータは、実施形態１から実施形態１８のいずれか１つによるいずれかの方法を実施することを可能にされる。
【００４８】
実施形態１９から実施形態４２のいずれか１つの有益な効果については、実施形態１から実施形態１８における対応する実施形態によってもたらされる技術的効果を参照されたい。詳細について本明細書で再び説明されない。
【００４９】
別の態様によれば、本出願において提供される実施形態は以下をさらに含む（この部分において提供される実施形態の数と、本明細書の他の部分において提供される実施形態の数との間には明らかな対応がなく、これは、この部分における説明を簡単にするためにすぎない）。
【００５０】
１．確率不均一変調に基づくデータ送信方法は、送信端に適用され、以下を含む。送信端は、物理レイヤデータフレームを生成し、確率不均一変調を実行する。物理レイヤデータフレームは、確率不均一信号復調を完了するために必要とされる様々なパラメータ情報を搬送するか、又はパラメータ情報を表す／マッピングすることができる識別子情報を搬送する。確率不均一信号復調を完了するために必要とされる様々なパラメータ情報は、変調タイプ、各シンボル中で搬送されるビットの量、変調次数、コンステレーションシンボル確率、及びコンステレーションシンボルとビットストリームとの間のマッピング関係を含む。データフレーム中で搬送され、確率不均一変調を完了するために使用されることが可能な様々なパラメータ情報、及びパラメータ情報を表す復調又は識別子情報は、物理レイヤヘッダ中に配置され、検査保護のための検査シーケンスが必要とされる。確率不均一コンステレーションシンボルはＮ次元信号空間に拡張されてよい（Ｎ≧１であり、Ｎは正の整数である）。
【００５１】
２．実施形態１によれば、本方法は以下をさらに含む。物理レイヤデータフレームは、フレーム中のデータ上で確率不均一変調及び復調を完了することをサポートするために必要とされる様々なパラメータ情報を直接搬送するか、又はパラメータ情報を表す／マッピングすることができる識別子情報を間接的に搬送することができる。
【００５２】
３．実施形態１又は２によれば、本方法は以下をさらに含む。物理レイヤデータフレームは、フレーム中のデータ上で確率不均一変調及び復調を完了することをサポートするために必要とされるパラメータ情報の確率コーディングポリシーＰＭＣＳ−ＩＤ識別子情報を間接的に搬送し得る。ＰＭＣＳ−ＩＤ識別子は物理レイヤヘッダ中に配置され、ＰＭＣＳ−ＩＤ識別子中の各識別子セグメントは、確率不均一変調の変調タイプ、各タイプのコーディングシンボル中で搬送されるビットの量、変調次数、コンステレーションシンボル確率、及びコンステレーションシンボルとビットストリームとの間のマッピング関係のパラメータを識別する。ＰＭＣＳ−ＩＤ識別子がマッピングされるパラメータ情報は、確率変調及びコーディングテーブルなど、識別子と各パラメータ情報との間の関係がマッピングされることが可能な方式で送信端及び受信端においてプリセットされてよい。
【００５３】
４．実施形態１によれば、本方法は以下をさらに含む。物理レイヤデータフレームは、フレーム中のデータ上で確率不均一変調及び復調を完了することをサポートするために必要とされるパラメータ情報を直接搬送することと、復調に必要とされるパラメータ情報の識別子情報を間接的に搬送することとの両方を行ってもよく、ここで、変調タイプ、及び各タイプのコーディングシンボル中で搬送されるビットの量のパラメータ情報は、識別子を使用することによって表され、また、物理レイヤにＭＯＰモジュール及びＢＳＭモジュールを追加し、ロードすることによって、確率不均一変調の変調次数、コンステレーションシンボル確率、及びコンステレーションシンボルとビットストリームとの間のマッピング関係のパラメータ情報を直接搬送してよい。
【００５４】
５．確率不均一変調に基づくデータ送信方法は、受信端に適用され、以下を含む。受信端は、物理レイヤデータフレームを受信し、特定の方式で、確率不均一信号復調を完了するために必要とされる様々なパラメータ情報を取得する。検査が成功した後に、復調器は、パラメータ情報を使用することによって確率不均一信号復調を完了する。確率不均一信号復調を完了するために必要とされる様々なパラメータ情報は、確率不均一変調の変調タイプ、各タイプのコーディングシンボル中で搬送されるビットの量、変調次数、コンステレーションシンボル確率、及びコンステレーションシンボルとビットストリームとの間のマッピング関係のパラメータを含む。
【００５５】
６．実施形態５によれば、本方法は以下をさらに含む。受信端は、確率不均一信号復調を完了するために必要とされる様々なパラメータ情報を直接又は間接的に取得することができる。
【００５６】
７．実施形態５又は６によれば、本方法は以下をさらに含む。受信されたデータフレームの物理レイヤヘッダ中のＰＭＣＳ−ＩＤ識別子が、確率不均一復調に必要とされる様々なパラメータ情報を表すことができるとき、復調器は、確率変調及びコーディングテーブルを照会して、ＰＭＣＳ−ＩＤ識別子と、復調に必要とされる様々なパラメータとの間のマッピング関係を取得するような方式で、復号のために、フレーム中のデータの変調タイプ、各タイプのコーディングシンボル中で搬送されるビットの量、変調次数、コンステレーションシンボル確率、及びコンステレーションシンボルとビットストリームとの間のマッピング関係のパラメータ情報について知り得る。
【００５７】
８．実施形態５又は６によれば、本方法は以下をさらに含む。受信されたデータフレームの物理レイヤヘッダ中のＰＭＣＳ−ＩＤ識別子が、確率不均一変調の変調タイプ、及び各タイプのコーディングシンボル中で搬送されるビットの量のパラメータ情報を識別するためにのみ使用されるとき、受信端は、物理レイヤヘッダ中に配置されロードされたＭＯＰモジュール及びＢＳＭモジュールから、確率不均一変調の変調次数、コンステレーションシンボル確率、及びコンステレーションシンボルとビットストリームとの間のマッピング関係のパラメータ情報を直接抽出することをさらに必要とする。確率不均一復調に必要とされる様々なパラメータ情報が取得された後に、復調が実行される。
【００５８】
９．実施形態５によれば、本方法は以下をさらに含む。確率不均一復調に必要とされる様々なパラメータ情報を取得した後に、受信端は、ｓｕｍ−ｐｒｏｄｕｃｔアルゴリズムなど、ソフト情報を使用することができるメッセージパッシング／伝搬アルゴリズム（ＭＰアルゴリズム）を使用することによって、確率不均一変調が実行される信号上でジョイント復調及び復号を実施する。
【００５９】
１０．確率不均一変調に基づくデータ送信方法は以下を含む。確率不均一変調を使用するのに好適な通信システムの送信端は、物理レイヤデータフレームを生成し、生成されたデータフレーム上で確率不均一変調を実行し、通信システムの受信端は、データフレームを受信した後に確率不均一信号復調を実行する。
【００６０】
１１．実施形態１０によれば、本方法は以下をさらに含む。確率不均一コンステレーションシンボルはＮ次元信号空間に拡張されてよい（Ｎ≧１であり、Ｎは正の整数である）。
【００６１】
１２．実施形態１０によれば、本方法は以下をさらに含む。生成された物理レイヤデータフレームは、変調タイプ、各タイプのコーディングシンボル中で搬送されるビットの量、変調次数、コンステレーションシンボル確率、及びコンステレーションシンボルとビットストリームとの間のマッピング関係のパラメータ情報を含む、確率不均一信号復調を完了する際に受信端をサポートするために必要とされる様々なパラメータ情報を搬送する。加えて、データフレームは、フレーム同期、チャネル推定、チャネル等化などをサポートすることができるパラメータ情報をさらに搬送する。
【００６２】
１３．実施形態１０によれば、本方法は以下をさらに含む。物理レイヤデータフレームを受信した後に、受信端は、最初に、フレーム同期を実施する必要がある。フレーム同期を完了した後に、受信端は、チャネル推定、チャネル等化、及び関係するパラメータ検査を完了する必要がさらにある。次いで、復調器は復調を開始する。
【図面の簡単な説明】
【００６３】
【図１】本出願の実施形態によるビットストリームグループとコンステレーションシンボルとの間のマッピングの概略図である。
【図２】本出願の実施形態によるビットストリームグループとコンステレーションシンボルとの間のマッピング、及びコンステレーション図中のコンステレーションシンボルの位置の概略図である。
【図３】本出願の実施形態によるビットストリームグループとコンステレーションシンボルとの間の別のマッピング、及びコンステレーション図中のコンステレーションシンボルの位置の概略図である。
【図４】本出願の実施形態による送信端及び受信端の各々におけるデータ処理工程の概略図である。
【図５】本出願の実施形態による送信端及び受信端の各々における別のデータ処理工程の概略図である。
【図６】本出願の実施形態による送信端及び受信端の各々における別のデータ処理工程の概略図である。
【図７】本出願の実施形態による送信端及び受信端の各々における別のデータ処理工程の概略図である。
【図８】本出願の実施形態による確率不均一変調に基づくデータ送信装置のハードウェア構造の概略図である。
【図９】本出願の実施形態による確率不均一変調に基づく別のデータ送信装置のハードウェア構造の概略図である。
【図１０】本出願の実施形態による確率不均一変調に基づくデータ送信方法のフローチャートである。
【図１１】本出願の実施形態による物理レイヤデータフレームの概略構造図である。
【図１２】本出願の実施形態による別の物理レイヤデータフレームの概略構造図である。
【図１３】本出願の実施形態による装置の概略組成図である。
【発明を実施するための形態】
【００６４】
以下で、本出願の実施形態における添付の図面を参照しながら、本出願の実施形態における技術的解決策について説明する。本出願の説明では、別段に規定されていない限り、「／」は「又は」を意味する。例えば、Ａ／ＢはＡ又はＢを表し得る。本明細書における「及び／又は」という用語は、関連する対象の関連付け関係を記述するにすぎず、３つの関係が存在し得ることを表す。例えば、Ａ及び／又はＢは、Ａのみが存在する、ＡとＢの両方が存在する、及びＢのみが存在するの、３つの場合を表し得る。加えて、「複数の」は、２つ又は２よりも大きいことを意味する。「第１の」及び「第２の」などの単語は、量及び実行シーケンスを限定せず、「第１の」及び「第２の」などの単語は、必ずしも異ならない。
【００６５】
以下の説明をより明らかにするために、以下で、本出願におけるいくつかの概念について手短に説明する。
【００６６】
変調方式は、変調タイプと呼ばれることもあり、符号化ビット（又は符号化ビットストリーム）が変調されるときに使用される変調方式である。例えば、変調方式は、ＱＡＭ、４位相シフトキーイング（Ｑｕａｄｒａｔｕｒｅ  Ｐｈａｓｅ  Ｓｈｉｆｔ  Ｋｅｙｉｎｇ、略してＱＰＳＫ）変調、パルス振幅変調（Ｐｕｌｓｅ  Ａｍｐｌｉｔｕｄｅ  Ｍｏｄｕｌａｔｉｏｎ、略してＰＡＭ）などであり得る。
【００６７】
コンステレーションシンボルは、符号化ビット（又は符号化ビットストリーム）を変調することによって取得される変調シンボルである。
【００６８】
コンステレーションシンボルに対応するビット量は、コンステレーションシンボル中で搬送されるか又はそれに含まれるビットの量として記述されることもあり、コンステレーションシンボルに対応する符号化ビット（又は符号化ビットストリーム）のビット量である。コンステレーションシンボルに対応する符号化ビット（又は符号化ビットストリーム）は、コンステレーションシンボルを取得するために変調又はマッピングされる。
【００６９】
変調次数は、コンステレーションシンボルタイプの量である。
【００７０】
コンステレーションシンボルの確率は、コンステレーションシンボルセット中のコンステレーションシンボルの理論的比率である。例えば、コンステレーションシンボルセット中のコンステレーションシンボルＳ2の理論的比率が３／８である場合、コンステレーションシンボルの確率は３／８である。複数のタイプのコンステレーションシンボルの確率が同じであるとき、コンステレーションシンボルは、確率一様コンステレーションシンボルと呼ばれることがある。複数のタイプのコンステレーションシンボル中の少なくとも２つのタイプのコンステレーションシンボルの確率が異なるとき、コンステレーションシンボルは、確率不均一コンステレーションシンボルと呼ばれることがある。確率不均一コンステレーションシンボルは、非等長マッパ又は確率不均一マッパが符号化ビット（又は符号化ビットストリーム）を変調又はマッピングした後に取得され得る。
【００７１】
符号化ビットの確率は、符号化ビットストリーム中で特定の値をもつ符号化ビットの理論的比率である。例えば、符号化ビットストリーム中で値が１である符号化ビットの理論的比率が１／２である場合、符号化ビットの確率は１／２である。異なる値をもつ符号化ビットの確率が同じであるとき、符号化ビットは等確率符号化ビットと呼ばれることがあり、そうでないとき、符号化ビットは非等確率符号化ビットと呼ばれることがある。通常、元の等確率ビットストリーム上でチャネルコーディングが実施された後に取得される符号化ビットストリームも、等確率符号化ビットストリームである。元のビットストリームは、ソースコーディングの後に取得されるビットストリームであり得る。
【００７２】
インターネットアプリケーションの発展とともに、仮想現実（Ｖｉｒｔｕａｌ  Ｒｅａｌｉｔｙ、略してＶＲ）、拡張現実（Ａｕｇｍｅｎｔｅｄ  Ｒｅａｌｉｔｙ、略してＡＲ）、及び超高精細度ビデオ（Ｕｌｔｒａ  Ｈｉｇｈ−Ｄｅｆｉｎｉｔｉｏｎ  Ｖｉｄｅｏ、略してＵＨＤＶ）、ビークルのインターネット、及びモノのインターネットなどの新規のアプリケーションは、通信送信レート、通信遅延及び電力消費量などの性能インジケータに対してより高い要件を有する。これらのアプリケーションの通信要件を満たすために、新しい多元接続技術、新しい波形技術、新しい変調方式、新しいコーディング方式、大規模アンテナアレイ、フルスペクトルアクセス、及び異種ネットワークなど、複数のタイプの無線技術が提案されている。
【００７３】
前世代の電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、略してＩＥＥＥ）８０２．１１ａｄ規格と比較して、ＩＥＥＥ８０２．１１ａｙ規格は、不均一コンステレーション（Ｎｏｎ−ｕｎｉｆｏｒｍ  Ｃｏｎｓｔｅｌｌａｔｉｏｎ）変調技術を提案するという重要な技術的ポイントを有する。不均一コンステレーション変調技術は、コンステレーションシンボルの確率が同じであり、コンステレーションシンボル間隔（即ち、ユークリッド距離、Ｅｕｃｌｉｄｅａｎ  Ｄｉｓｔａｎｃｅ）が異なる変調方式である。コンステレーションシンボルが同じ確率を有する従来の変調方式では、複数の等確率符号化ビットが、１つのコンステレーションシンボルにマッピングされることがあり、複数のタイプのコンステレーションシンボルがあることがあり、複数のタイプのコンステレーションシンボルの確率は同じである。
【００７４】
受信端に存在する様々なタイプのノイズ、送信端における平均電力制約、入力信号の振幅制約などにより、送信レートがチャネル容量を達成することができる最適な信号は、離散的確率不均一コンステレーションシンボルである。次いで、コンステレーションシンボルは、比較的理想的な整形利得及び比較的理想的なビットエラーレート性能を達成するために、最大事後（Ｍａｘｉｍｕｍ  ａ  Ｐｏｓｔｅｒｉｏｒｉ、略してＭＡＰ）推定アルゴリズムと組み合わせて復調される。従って、確率不均一変調が提案される。確率不均一変調は、コンステレーションシンボルの確率が異なり、コンステレーションシンボル間隔が同じであり得るか又は異なり得る変調方式である。確率不均一変調方式では、複数の等確率符号化ビットが、１つのコンステレーションシンボルにマッピングされることがあり、複数のタイプのコンステレーションシンボルがあることがあり、複数のタイプのコンステレーションシンボル中の少なくとも２つのタイプのコンステレーションシンボルの確率は異なる。従来の確率一様変調技術と比較して、確率不均一変調技術は、より良い整形利得（Ｓｈａｐｉｎｇ  ｇａｉｎ）を取得することができ、位相ノイズ（Ｐｈａｓｅ  Ｎｏｉｓｅ）及び量子化ノイズ（Ｑｕａｎｔｉｚａｔｉｏｎ  Ｎｏｉｓｅ）などの非理想的干渉に対してより良いロバストネスを有する。
【００７５】
現在、確率不均一変調に関する研究は、全て理論的研究である。確率不均一変調では、コンステレーションシンボルの確率が異なるので、コンステレーションシンボルの以前の確率が同じであるという仮定に基づく従来の最尤（Ｍａｘｉｍｕｍ  Ｌｉｋｅｌｉｈｏｏｄ）推定アルゴリズムの復調アルゴリズムは、もはや適用可能でない。受信端における復調器は、復調器がＭＡＰ推定アルゴリズムに基づいてコンステレーションシンボルを復調することができるように、各コンステレーションシンボルの確率及び確率不均一変調の変調次数などの情報を知る必要がある。
【００７６】
本出願のより明快な理解のために、以下で、確率不均一変調の原理について手短に説明する。
【００７７】
確率不均一変調が実行される前に、複数のビットストリームグループが設定されてよく、１つのビットストリームグループは１つ又は複数のビットストリームを含み、１つのビットストリームは１つ又は複数のビットを含む。各ビットストリームグループ中のビットストリームは、１つのコンステレーションシンボルにマッピングされ得る。少なくとも２つのビットストリームグループ中のビットストリームがマッピングされるコンステレーションシンボルの確率は、異なる。
【００７８】
ある場合には、複数のビットストリームグループ中のビットストリームは、同じ量のビットを含む。例えば、図１を参照すると、場合１では、３つのビットストリームグループ［００］、［０１，１０］、及び［１１］が設定される。［００］がマッピングされるコンステレーションシンボルはＳ1であり、Ｓ1の確率はｐ（Ｓ1）＝１／４である。［０１，１０］がマッピングされるコンステレーションシンボルはＳ2であり、Ｓ2の確率はｐ（Ｓ2）＝１／２である。［１１］がマッピングされるコンステレーションシンボルはＳ3であり、Ｓ3の確率はｐ（Ｓ3）＝１／４である。場合２では、３つのビットストリームグループ［００，０１］、［１０］、及び［１１］が設定される。［００，０１］がマッピングされるコンステレーションシンボルはＳ1であり、Ｓ1の確率はｐ（Ｓ1）＝１／２である。［１０］がマッピングされるコンステレーションシンボルはＳ2であり、Ｓ2の確率はｐ（Ｓ2）＝１／４である。［１１］がマッピングされるコンステレーションシンボルはＳ3であり、Ｓ3の確率はｐ（Ｓ3）＝１／４である。場合３では、３つのビットストリームグループ［０００，００１］、［０１０，０１１，１００］、及び［１０１，１１０，１１１］が設定される。［０００，００１］がマッピングされるコンステレーションシンボルはＳ1であり、Ｓ1の確率はｐ（Ｓ1）＝１／４である。［０１０，０１１，１００］がマッピングされるコンステレーションシンボルはＳ2であり、Ｓ2の確率はｐ（Ｓ2）＝３／８である。［１０１，１１０，１１１］がマッピングされるコンステレーションシンボルはＳ3であり、Ｓ3の確率はｐ（Ｓ3）＝３／８である。場合４では、３つのビットストリームグループ［０００，００１，０１０，０１１］、［１００，１０１，１１０］、及び［１１１］が設定される。［０００，００１，０１０，０１１］がマッピングされるコンステレーションシンボルはＳ1であり、Ｓ1の確率はｐ（Ｓ1）＝１／２である。［１００，１０１，１１０］がマッピングされるコンステレーションシンボルはＳ2であり、Ｓ2の確率はｐ（Ｓ2）＝３／８である。［１１１］がマッピングされるコンステレーションシンボルはＳ3であり、Ｓ3の確率はｐ（Ｓ3）＝１／８である。
【００７９】
別の場合には、複数のビットストリームグループ中のビットストリームは、異なる量のビットを含む。例えば、図２を参照すると、３つのビットストリームグループ［０］、［１０］、及び［１１］が設定される。［０］がマッピングされるコンステレーションシンボルはＳ1であり、Ｓ1の確率はｐ（Ｓ1）＝１／２である。［１０］がマッピングされるコンステレーションシンボルはＳ2であり、Ｓ2の確率はｐ（Ｓ2）＝１／４である。［１１］がマッピングされるコンステレーションシンボルはＳ3であり、Ｓ3の確率はｐ（Ｓ3）＝１／４である。この場合、コンステレーション図中のコンステレーションシンボルの位置については、図２を参照されたい。
【００８０】
図３を参照すると、９つのビットストリームグループ［００］、［０１０］、［１１０］、［０１１］、［１００］、［１１１０］、［１１１１］、［１０１０］、及び［１０１１］が設定される。［００］がマッピングされるコンステレーションシンボルはＳ1であり、Ｓ1の確率はｐ（Ｓ1）＝１／４である。［０１０］がマッピングされるコンステレーションシンボルはＳ2であり、Ｓ2の確率はｐ（Ｓ2）＝１／８である。［１１０］がマッピングされるコンステレーションシンボルはＳ3であり、Ｓ3の確率はｐ（Ｓ3）＝１／８である。［０１１］がマッピングされるコンステレーションシンボルはＳ4であり、Ｓ4の確率はｐ（Ｓ4）＝１／８である。［１００］がマッピングされるコンステレーションシンボルはＳ5であり、Ｓ5の確率はｐ（Ｓ5）＝１／８である。［１１１０］がマッピングされるコンステレーションシンボルはＳ6であり、Ｓ6の確率はｐ（Ｓ66）＝１／１６である。［１１１１］がマッピングされるコンステレーションシンボルはＳ7であり、Ｓ7の確率はｐ（Ｓ7）＝１／１６である。［１０１０］がマッピングされるコンステレーションシンボルはＳ8であり、Ｓ8の確率はｐ（Ｓ8）＝１／１６である。［１０１１］がマッピングされるコンステレーションシンボルはＳ9であり、Ｓ9の確率はｐ（Ｓ9）＝１／１６である。この場合、コンステレーション図中のコンステレーションシンボルの位置については、図３を参照されたい。
【００８１】
図１に示されている例に基づいて、ビットストリームが０１１０１０である場合、第１のビット０はＳ1にマッピングされてよく、第２及び第３のビット１１はＳ3にマッピングされてよく、第４のビット０はＳ1にマッピングされてよく、第５及び第６のビット１０はＳ2にマッピングされてよい。この場合、０１１０１０をマッピングすることによって取得されるコンステレーションシンボルセット中のコンステレーションシンボルは、Ｓ1、Ｓ3、Ｓ1、及びＳ2である。
【００８２】
確率不均一変調の原理部分の説明において、ビットストリーム中のビットは、チャネルコーディングが実行される等確率符号化ビットであってよい。コンステレーションシンボルは、ＰＡＭコンステレーションシンボルセット中のコンステレーションシンボルであってよい。
【００８３】
以下で、送信端及び受信端の各々におけるデータ処理工程について手短に説明する。
【００８４】
図４に示されているように、送信端において、元のビットストリームは、チャネルエンコーダによってチャネルコーディングされて符号化ビットストリームを取得し、符号化ビットストリームは、マッパによってマッピングされてコンステレーションシンボルが取得される。受信端において、復調器は、コンステレーションシンボルを復調して符号化ビットストリームを取得し、デコーダは、符号化ビットストリームを復号して元のビットストリームを取得する。本出願のこの実施形態における確率不均一コンステレーションシンボルは、方式１から方式３のいずれか１つで生成され得る。
【００８５】
方式１：図５を参照すると、元のビットストリームは、等確率チャネルエンコーダによってチャネルコーディングされて等確率符号化ビットストリームを取得し、等確率符号化ビットストリームは、非等長ハフマン（Ｈｕｆｆｍａｎ）マッパによってマッピングされて確率不均一コンステレーションシンボルを生成する。受信端における復調器は、非等長ハフマンマッパの知られた完全な構造に基づいて確率不均一コンステレーションシンボルを復調して等確率符号化ビットストリームを取得し、等確率符号化ビットストリームは、チャネルデコーダによって復号されて元のビットストリームを取得する。
【００８６】
この方式では、従来の確率一様変調方式と比較して、異なる変調次数及び周波数帯域効率をもつコンステレーションシンボルが比較的フレキシブルに生成されることが可能であり、より大きい整形利得が取得されることが可能である。この方式では、整形利得を保証するために、ジョイントソースチャネル復号（Ｊｏｉｎｔ  Ｓｏｕｒｃｅ−Ｃｈａｎｎｅｌ  Ｄｅｃｏｄｉｎｇ、略してＪＳＣＤ）アルゴリズムを使用して等確率符号化ビットストリームを復号し得る。
【００８７】
方式２：図６を参照すると、送信端において、元のビットストリームは、マルチレベルコーダ（Ｍｕｌｔｉ−ｌｅｖｅｌ  Ｃｏｄｉｎｇ、略してＭＬＣ）によってチャネルコーディングされて等確率符号化ビットストリームを取得し、等確率符号化ビットストリームは、決定論的（ｄｅｔｅｒｍｉｎｉｓｔｉｃ）等長マッパによってマッピングされて、確率不均一コンステレーションシンボルを生成する。受信端において、マルチレベルデコーダ（Ｍｕｌｔｉ−ｌｅｖｅｌ  Ｄｅｃｏｄｉｎｇ、略してＭＳＤ）は、確率不均一コンステレーションシンボル上で、マルチレベル復号を実行し、実行されて元のビットストリームを取得する。
【００８８】
方式３：図７を参照すると、送信端において、元のビットストリームは、シングルレベルコーダ（Ｓｉｎｇｌｅ−ｌｅｖｅｌ  Ｃｏｄｉｎｇ、略してＳＬＣ）によってチャネルコーディングされて等確率符号化ビットストリームを取得し、等確率符号化ビットストリームは、決定論的等長マッパによってマッピングされて、確率不均一コンステレーションシンボルを生成する。受信端において、ジョイントデマッピングデコーダ（Ｊｏｉｎｔ  Ｄｅｍａｐｐｉｎｇ−ｄｅｃｏｄｉｎｇ、略してＪＤＤ）は、確率不均一コンステレーションシンボルを復調し、復号して、元のビットストリームを取得する。
【００８９】
本出願のこの実施形態において提供される方法は、確率不均一変調を使用する通信システム、例えば、限られた入力振幅をもつ輝度変調直接検出（Ｉｎｔｅｎｓｉｔｙ  Ｍｏｄｕｌａｔｉｏｎ−Ｄｉｒｅｃｔ  Ｄｅｔｅｃｔｉｏｎ、略してＩＭ−ＤＤ）通信システム、又は限られた入力信号振幅をもつ無線周波数（Ｒａｄｉｏ  Ｆｒｅｑｕｅｎｃｙ、略してＲＦ）通信システム、又は限られた入力信号振幅と限られたノイズ電力の両方をもつ無線周波数（Ｒａｄｉｏ  Ｆｒｅｑｕｅｎｃｙ、略してＲＦ）通信システムに適用され得る。典型的なＩＭ−ＤＤ通信システムは、可視光通信（Ｖｉｓｉｂｌｅ  Ｌｉｇｈｔ  Ｃｏｍｍｕｎｉｃａｔｉｏｎ、略してＶＬＣ）システム、自由空間オプティクス通信（Ｆｒｅｅ  Ｓｐａｃｅ  Ｏｐｔｉｃｓ、略してＦＳＯ）システム、カメラ通信（Ｏｐｔｉｃａｌ  Ｃａｍｅｒａ  Ｃｏｍｍｕｎｉｃａｔｉｏｎ、略してＯＣＣ）システム、光無線散乱通信（Ｏｐｔｉｃａｌ  Ｗｉｒｅｌｅｓｓ  Ｓｃａｔｔｅｒｉｎｇ  Ｃｏｍｍｕｎｉｃａｔｉｏｎ、略してＯＷＳＣ）システム、及び他の典型的な光無線通信（Ｏｐｔｉｃａｌ  Ｗｉｒｅｌｅｓｓ  Ｃｏｍｍｕｎｉｃａｔｉｏｎ、略してＯＷＣ）システムを含む。
【００９０】
本出願の実施形態は、確率不均一変調に基づくデータ送信装置のハードウェア構造の概略図を提供する。図８に示されているように、確率不均一変調に基づくデータ送信装置８０は、以下において送信端又は受信端であってよい。特に、確率不均一変調に基づくデータ送信装置８０は、無線周波数通信シナリオにおいて送信端又は受信端であってよい。確率不均一変調に基づくデータ送信装置８０は、少なくとも１つのプロセッサ（例えば、プロセッサ８０１及びプロセッサ８０８）、通信バス８０２、メモリ８０３、及び少なくとも１つの通信インターフェース８０４を含む。
【００９１】
プロセッサ８０１は、本出願の解決策においてプログラム実行を制御するように構成された、１つ又は複数の汎用中央処理ユニット（Ｃｅｎｔｒａｌ  Ｐｒｏｃｅｓｓｉｎｇ  Ｕｎｉｔ、略してＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略してＡＳＩＣ）、又は１つ又は複数の集積回路であってよい。
【００９２】
通信バス８０２は、上記の構成要素の間で通信して、情報を送信するように構成される。
【００９３】
通信インターフェース８０４は、別のデバイス又は通信ネットワークと通信するように構成され、トランシーバなどの任意の装置、例えば、イーサネット、無線アクセスネットワーク（Ｒａｄｉｏ  Ａｃｃｅｓｓ  Ｎｅｔｗｏｒｋ、略してＲＡＮ）ノード、又は無線ローカルエリアネットワーク（Ｗｉｒｅｌｅｓｓ  Ｌｏｃａｌ  Ａｒｅａ  Ｎｅｔｗｏｒｋ、略してＷＬＡＮ）であってよい。
【００９４】
メモリ８０３は、本出願の解決策を実行するためのコンピュータ実行可能命令を記憶するように構成され、プロセッサ８０１は、その実行を制御する。プロセッサ８０１は、メモリ８０３に記憶されたコンピュータ実行可能命令を実行して、本出願の以下の実施形態において提供される方法を実装するように、例えば、以下において送信端又は受信端の動作を実施するように構成される。メモリ８０３は、静的情報及び命令を記憶することができる読取り専用メモリ（Ｒｅａｄ−Ｏｎｌｙ  Ｍｅｍｏｒｙ、略してＲＯＭ）又は別のタイプの静的記憶デバイス、情報及び命令を記憶することができるランダムアクセスメモリ（Ｒａｎｄｏｍ  Ａｃｃｅｓｓ  Ｍｅｍｏｒｙ、略してＲＡＭ）又は別のタイプの動的記憶デバイス、電気消去可能プログラマブル読取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、コンパクトディスク読取り専用メモリ（Ｃｏｍｐａｃｔ  Ｄｉｓｃ  Ｒｅａｄ−Ｏｎｌｙ  Ｍｅｍｏｒｙ、略してＣＤ−ＲＯＭ）又は別の光ディスクストレージ、（コンパクトディスク、レーザーディスク、光ディスク、デジタル多用途ディスク、Ｂｌｕ−ｒａｙディスクなどを含む）光ディスクストレージ、ディスク記憶媒体又は別の磁気記憶デバイス、又は、命令又はデータ構造の形態で期待されるプログラムコードを搬送又は記憶するように構成されることが可能であり、コンピュータによってアクセスされることが可能な任意の他の媒体であってよいが、それらに限定されない。メモリ８０３は、独立して存在してよく、通信バス８０２を使用することによってプロセッサ８０１に接続される。代替として、メモリ８０３はプロセッサ８０１と一体化されてよい。
【００９５】
任意選択で、本出願のこの実施形態におけるコンピュータ実行可能命令は、アプリケーションプログラムコードと呼ばれることもある。これは、本出願のこの実施形態では特に限定されない。
【００９６】
実施形態では、プロセッサ８０１は、図８において１つ又は複数のＣＰＵ、例えば、ＣＰＵ０及びＣＰＵ１を含み得る。
【００９７】
実施形態では、確率不均一変調に基づくデータ送信装置８０は、図８において複数のプロセッサ、例えば、プロセッサ８０１及びプロセッサ８０８を含み得る。これらのプロセッサの各々は、シングルコア（シングルＣＰＵ）プロセッサであり得るか、又はマルチコア（マルチＣＰＵ）プロセッサであり得る。本明細書のプロセッサは、データ（例えば、コンピュータプログラム命令）を処理するように構成された１つ又は複数のデバイス、回路、及び／又は処理コアを指し得る。
【００９８】
実施形態では、確率不均一変調に基づくデータ送信装置８０は、出力デバイス８０５及び入力デバイス８０６をさらに含むことができる。出力デバイス８０５は、プロセッサ８０１と通信し、複数の方式で情報を表示し得る。入力デバイス８０６は、プロセッサ８０１と通信し、複数の方式でユーザ入力を受信し得る。
【００９９】
本出願の実施形態は、確率不均一変調に基づくデータ送信装置９０をさらに提供する。確率不均一変調に基づくデータ送信装置９０は、本出願の実施形態において送信端であってよい。確率不均一変調に基づくデータ送信装置９０は、無線周波数通信シナリオにおいて送信端であってよいか、又は光無線通信シナリオにおいて送信端であってよい。
【０１００】
送信端に関係する実施形態１
確率不均一変調に基づくデータ送信装置９０が無線周波数通信シナリオにおいて送信端であるとき、図９に示されているように、確率不均一変調に基づくデータ送信装置９０は、１つ又は複数のプロセッサ９０１、１つ又は複数のメモリ９０２、１つ又は複数のベースバンド処理モジュール９０３、及び１つ又は複数の無線周波数トランシーバ９０９を含み得る。無線周波数トランシーバ９０９は、無線周波数信号を受信するか又は送るように構成される。プロセッサ９０１は、メモリ９０２に記憶されたプログラム命令に従って、以下の方法実施形態のいずれか１つにおいて送信端によって実行される動作を実施するようにベースバンド処理モジュール９０３及び無線周波数トランシーバ９０９を制御するように構成される。
【０１０１】
送信端に関係する実施形態２
確率不均一変調に基づくデータ送信装置９０が光無線通信シナリオにおいて送信端であるとき、図９に示されているように、確率不均一変調に基づくデータ送信装置９０は、１つ又は複数のプロセッサ９０１、１つ又は複数のメモリ９０２、１つ又は複数のベースバンド処理モジュール９０３、１つ又は複数の光源ドライバ９０４、及び１つ又は複数の光源９０５を含み得る。
【０１０２】
メモリ９０２は、プログラム命令を記憶するように構成される。
【０１０３】
プロセッサ９０１は、メモリ９０２に記憶されたプログラム命令に従って、以下の方法実施形態のいずれか１つにおいて送信端によって実行される動作を実施するようにベースバンド処理モジュール９０３、光源ドライバ９０４、及び光源９０５を制御するように構成される。
【０１０４】
ベースバンド処理モジュール９０３は、物理レイヤデータフレームを生成し、物理レイヤデータフレームを光源ドライバ９０４に送るように構成される。物理レイヤデータフレームは、本出願において以下で言及される物理レイヤデータフレームであり得る。
【０１０５】
光源ドライバ９０４は、直流電流又は直流電圧を生成し、受信された物理レイヤデータフレームを直流電流又は直流電圧と重畳して、バイアスを持つ電気信号を生成し、バイアスを持つ電気信号を光源９０５に送るように構成される。
【０１０６】
光源９０５は、バイアスを持つ電気信号に基づいて光信号を生成するように構成される。
【０１０７】
いくつかの実施形態では、確率不均一変調に基づくデータ送信装置９０は、無線周波数信号を受信するか又は送るように構成された、１つ又は複数の無線周波数トランシーバ９０９をさらに含み得る。
【０１０８】
プロセッサ９０１、メモリ９０２、ベースバンド処理モジュール９０３、光源ドライバ９０４、及び無線周波数トランシーバ９０９は、バスを使用することによって接続され得ることに留意されたい。ベースバンド処理モジュール９０３は、チャネル推定を実行し、物理レイヤデータフレームにチャネル推定シーケンスを追加し得るか、又は物理レイヤデータフレームに同期プリアンブルを追加し得るか、又は物理レイヤデータフレームに光調整モードなどの処理を追加し得る。
【０１０９】
いくつかの実施形態では、確率不均一変調に基づくデータ送信装置９０は、１つ又は複数の光電検出器９０６及び１つ又は複数の光アンテナ９０７をさらに含み得る。光電検出器９０６及び光アンテナ９０７の機能については、受信端に関係する以下の実施形態における関係する説明を参照されたい。
【０１１０】
送信端に基づいて、図４に示されているチャネルエンコーダ及びマッパ、又は図５に示されている等確率チャネルエンコーダ及び非等長ハフマンマッパ、又は図６に示されているマルチレベルコーダ及び決定論的等長マッパ、又は図７に示されているシングルレベルコーダ及び決定論的等長マッパは、送信端においてベースバンド処理モジュール９０３中に配置され得る。
【０１１１】
本出願の実施形態は、確率不均一変調に基づくデータ送信装置をさらに提供する。確率不均一変調に基づくデータ送信装置９０は、本出願の実施形態において受信端であってよい。確率不均一変調に基づくデータ送信装置９０は、無線周波数通信シナリオにおいて受信端であってよいか、又は光無線通信シナリオにおいて受信端であってよい。
【０１１２】
受信端に関係する実施形態１
確率不均一変調に基づくデータ送信装置９０が無線周波数通信シナリオにおいて受信端であるとき、図９に示されているように、確率不均一変調に基づくデータ送信装置９０は、１つ又は複数のプロセッサ９０１、１つ又は複数のメモリ９０２、１つ又は複数のベースバンド処理モジュール９０３、及び１つ又は複数の無線周波数トランシーバ９０９を含む。無線周波数トランシーバ９０９は、無線周波数信号を受信するか又は送るように構成される。プロセッサ９０１は、メモリ９０２に記憶されたプログラム命令に従って、以下の方法実施形態のいずれか１つにおいて受信端によって実行される動作を実施するようにベースバンド処理モジュール９０３及び無線周波数トランシーバ９０９を制御するように構成される。
【０１１３】
受信端に関係する実施形態２
確率不均一変調に基づくデータ送信装置９０が光無線通信シナリオにおいて受信端であるとき、図９に示されているように、確率不均一変調に基づくデータ送信装置９０は、１つ又は複数のプロセッサ９０１、１つ又は複数のメモリ９０２、１つ又は複数のベースバンド処理モジュール９０３、１つ又は複数の光電検出器９０６、及び１つ又は複数の光アンテナ９０７を含む。
【０１１４】
メモリ９０２は、プログラム命令を記憶するように構成される。
【０１１５】
プロセッサ９０１は、メモリ９０２に記憶されたプログラム命令に従って、以下の方法実施形態のいずれか１つにおいて受信端によって実行される動作を実施するようにベースバンド処理モジュール９０３、光電検出器９０６、及び光アンテナ９０７を制御するように構成される。
【０１１６】
光アンテナ９０７は、光信号を受信し、光信号を光電検出器９０６に送るように構成される。
【０１１７】
光電検出器９０６は、光信号を受信し、光信号を、バイアスを持つ電気信号に変換し、バイアスを持つ電気信号をベースバンド処理モジュール９０３に送るように構成される。バイアスを持つ電気信号は、バイアスを持つ電流信号又はバイアスを持つ電圧信号であってよい。
【０１１８】
ベースバンド処理モジュール９０３は、バイアスを持つ電気信号を受信し、バイアスを持つ電気信号上で信号処理を実行して物理レイヤデータフレームを取得し、確率不均一復調パラメータに基づいてデータ上で確率不均一復調処理及び復号処理を実施するように構成される。確率不均一復調パラメータは、物理レイヤデータフレーム中の指示情報によって示される復調パラメータである。データは、物理レイヤデータフレーム中で搬送され、確率不均一変調が実行される、データである。物理レイヤデータフレームは、本出願において以下で言及される物理レイヤデータフレームであり得る。
【０１１９】
いくつかの実施形態では、確率不均一変調に基づくデータ送信装置９０は、無線周波数信号を受信するか又は送るように構成された、１つ又は複数の無線周波数トランシーバ９０９をさらに含み得る。
【０１２０】
プロセッサ９０１、メモリ９０２、ベースバンド処理モジュール９０３、光電検出器９０６、及び無線周波数トランシーバ９０９は、バスを使用することによって接続され得ることに留意されたい。ベースバンド処理モジュール９０３は、チャネル推定を実行し、物理レイヤデータフレームにチャネル推定シーケンスを追加し得るか、又は物理レイヤデータフレームに同期プリアンブルを追加し得るか、又は物理レイヤデータフレームに光調整モードなどの処理を追加し得る。
【０１２１】
いくつかの実施形態では、確率不均一変調に基づくデータ送信装置９０は、１つ又は複数の光源ドライバ９０４及び１つ又は複数の光源９０５をさらに含み得る。光源ドライバ９０４及び光源９０５の機能については、送信端に関係する上記の実施形態における関係する説明を参照されたい。
【０１２２】
受信端に基づいて、図４に示されている復調器及びデコーダ、又は図５に示されている復調器及びチャネルデコーダ、又は図６に示されているマルチレベルデコーダ、又は図７に示されているジョイントデマッピングデコーダは、受信端においてベースバンド処理モジュール９０３中に配置され得る。
【０１２３】
本出願の実施形態は、確率不均一変調に基づくデータ送信方法を提供する。図１０に示されているように、本方法は以下のステップを含む。
【０１２４】
１００１．送信端が物理レイヤデータフレームを生成し、物理レイヤデータフレームは、確率不均一変調が実行されるデータ、及び指示情報を含み、指示情報は、データ上で確率不均一復調を実行するための復調パラメータを示すために使用される。
【０１２５】
物理レイヤデータフレームは、光無線通信のために使用され得る。
【０１２６】
復調パラメータは、確率不均一変調の変調方式及び確率不均一変調の変調次数を含む。復調パラメータは、以下のもの、即ち、確率不均一変調が実行される各コンステレーションシンボルの確率、及び確率不均一変調が実行される各コンステレーションシンボルとビットストリームとの間のマッピング関係のうちの少なくとも１つをさらに含む。図１０に示されている実施形態における全てのコンステレーションシンボルは、確率不均一コンステレーションシンボルであることに留意されたい。
【０１２７】
いくつかの実施形態では、指示情報は、物理レイヤデータフレームの物理レイヤヘッダ中に配置される。いくつかの実施形態では、検査保護が指示情報上で実行され、物理レイヤヘッダ検査シーケンス（Ｈｅａｄｅｒ  Ｃｈｅｃｋ  Ｓｅｑｕｅｎｃｅ、略してＨＣＳ）を使用することによるものである。
【０１２８】
コンステレーションシンボルとビットストリームとの間のマッピング関係は、コンステレーションシンボルに対応するビットストリームに関する情報を含む。コンステレーションシンボルは、対応するビットストリームを変調することによって取得され得る。１つのコンステレーションシンボルは、１つ又は複数のビットストリームに対応し得る。例えば、図１は、コンステレーションシンボルとビットストリームとの間の４つのマッピング関係を示している。
【０１２９】
いくつかの実施形態では、復調パラメータは、確率不均一変調が実行される各コンステレーションシンボルに対応するビットの量をさらに含む。
【０１３０】
いくつかの実施形態では、チャネルコーディング方式がさらに含まれてよい。例えば、チャネルコーディング方式は、マルチレベルコーディング又はシングルレベルコーディングであり得る。
【０１３１】
１００２．送信端が、物理レイヤデータフレームを受信端に送る。
【０１３２】
１００３．受信端が、物理レイヤデータフレームを受信し、指示情報に基づいて復調パラメータを決定する。
【０１３３】
１００４．受信端が、復調パラメータに基づいてデータ上で確率不均一復調を実行する。
【０１３４】
本出願のこの実施形態において提供される方法では、送信端は、確率不均一変調が実行されるデータを受信端に送り、受信端は、データ上で確率不均一復調を実行し、従って、通信システムは、より良い整形利得を取得することができ、入力振幅制約があるとき又はショットノイズを伴うチャネル上で、送信レートがチャネル容量により近くなるか又はより良いビットエラーレート性能が取得される。本出願のこの実施形態において提供される方法では、確率一様変調と比較して、確率不均一変調は、非等確率コンステレーションシンボルを生成し、従って、ソース情報エントロピー及び入出力相互情報量はより大きくなり、確率不均一コンステレーションシンボルによって達成されるチャネル容量はより大きくなる。従って、同じ入力振幅制約、同じ信号電力、同じ信号対ノイズ比、及び同じビットエラーレート性能の場合において、より高い周波数帯域利用が取得されることが可能であり、それにより、確率不均一変調が実行されるデータの送信効率が改善される。
【０１３５】
従来の確率一様変調方式とは異なり、確率不均一変調は、必ずしも２nであるとは限らない（ｎ≧１であり、ｎは整数である）、よりフレキシブルな変調次数をサポートすることができる。言い換えれば、確率不均一変調の変調次数は奇数であってよい。同じ変調方式でさえ、各コンステレーションシンボルに対応するビットの量、各コンステレーションシンボルの確率、及びコンステレーションシンボルとビットストリームとの間のマッピング関係は大幅に異なり得る。例として図１が使用される。変調次数が３であるとき、場合１及び場合２の各々におけるコンステレーションシンボルに対応するビットの量は、２であり、場合３及び場合４の各々におけるコンステレーションシンボルに対応するビットの量は、３である。さらに、変調次数が同じであり、全てのコンステレーションシンボルに対応するビットの量が同じであるときでも、コンステレーションシンボルとビットストリームとの間のマッピング関係は異なり得る。異なるマッピング関係は、さらに、例えば、図１の場合３及び場合４など、全てのコンステレーションシンボルの異なる確率を生じる。コンステレーションシンボルの確率不均一復調を正常に完了するために、受信端における復調器は、確率不均一変調の変調次数、各コンステレーションシンボルに対応するビットの量、コンステレーションシンボルの確率、及びコンステレーションシンボルとビットストリームとの間のマッピング関係などの情報を完全に知る必要がある。従って、本出願のこの実施形態では、送信端は、受信端によって必要とされる復調パラメータに基づいて物理レイヤデータフレームを生成し、物理レイヤデータフレームを受信端に送り、従って、受信端は、受信された物理レイヤデータフレームから復調パラメータを直接又は間接的に抽出し、復調パラメータに基づいてコンステレーションシンボルの確率不均一復調を完了することができる。
【０１３６】
いくつかの実施形態では、ステップ１００１の前に、送信端は、マルチレベルコーダ及び決定論的等長マッパを使用することによってデータを生成する。この場合、特定の実装では、ステップ１００４は、受信端によって、マルチレベルデコーダ及び復調パラメータを使用することによってデータ上で確率不均一復調を実行することを含み得る。詳細については、上記の方式２を参照されたい。
【０１３７】
いくつかの実施形態では、ステップ１００１の前に、送信端は、シングルレベルコーダ及び決定論的等長マッパを使用することによってデータを生成する。この場合、特定の実装では、ステップ１００４は、受信端によって、ジョイントデマッピングデコーダ及び復調パラメータを使用することによってデータ上で確率不均一復調を実行することを含み得る。詳細については、上記の方式３を参照されたい。
【０１３８】
本出願のこの実施形態では、物理レイヤデータフレーム中で搬送されるデータが、シングルキャリアを使用することによって送られるとき、データは、確率不均一コンステレーションシンボル上でシングルキャリア変調が実施された後に取得されるデータであり得ることに留意されたい。データが、複数のキャリアを使用することによって送られるとき、データは、確率不均一コンステレーションシンボル上でマルチキャリア変調が実施された後に取得されるデータであり得る。
【０１３９】
指示情報は、復調パラメータを明示的又は暗黙的に示し得る。
【０１４０】
指示情報が復調パラメータを明示的に示すとき、指示情報が復調パラメータであり得る。この場合、受信端は、物理レイヤデータフレームに基づいて復調パラメータを直接取得し得る。
【０１４１】
指示情報が復調パラメータを暗黙的に示すとき、指示情報は、以下の２つのタイプの情報のいずれかであり得る。
【０１４２】
（１）指示情報は第１の識別子であり、第１の識別子は、復調パラメータを示すために使用される。
【０１４３】
この場合、特定の実装では、ステップ１００３は、受信端によって、第１の識別子、及び識別子と復調パラメータとの間の対応関係に基づいて、データ上で確率不均一復調を実行するための復調パラメータを決定することを含んでよく、識別子は第１の識別子を含む。
【０１４４】
例えば、図１１に示されているように、送信端によって生成される物理レイヤデータフレームは、物理レイヤプリアンブル（ＰＨＹプリアンブル）、物理レイヤヘッダ（ＰＨＹヘッダ）、及び物理レイヤデータペイロード（ＰＨＹペイロード）という、３つの部分を含む。
【０１４５】
物理レイヤプリアンブルは、受信端とのフレーム同期を実施するために使用されてよく、プリアンブルは、時間領域シーケンスであり、どんなチャネルコーディング又は信号変調も必要としない。
【０１４６】
物理レイヤヘッダは、（確率変調及びコーディング方式インジケータ（Ｐｒｏｂａｂｉｌｉｔｙ  Ｍｏｄｕｌａｔｉｏｎ  ａｎｄ  Ｃｏｄｉｎｇ  Ｓｃｈｅｍｅ  Ｉｎｄｅｘ、略してＰＭＣＳ−ＩＤ）と呼ばれることがある）第１の識別子、物理サービスデータユニット（ＰＨＹ  ｓｅｒｖｉｃｅ  ｄａｔａ  ｕｎｉｔ、略してＰＳＤＵ）長さ（ｌｅｎｇｔｈ）、予約済みフィールド（Ｒｅｓｅｒｖｅｄ  Ｆｉｅｌｄ）、及び物理レイヤＨＣＳを含む。
【０１４７】
ＰＭＣＳ−ＩＤは、復調パラメータを示すために使用される。ＩＥＥＥ８０２．１１規格プロトコルにおける変調及びコーディング方式インジケータ（Ｍｏｄｕｌａｔｉｏｎ  ａｎｄ  Ｃｏｄｉｎｇ  Ｓｃｈｅｍｅ  Ｉｎｄｅｘ、略してＭＣＳ−ＩＤ）は、変調方式及び変調次数のみを示すことができることに留意されたい。ＭＣＳ−ＩＤとは異なり、本出願のこの実施形態におけるＰＭＣＳ−ＩＤは、変調方式を示すことができるだけでなく、同じ変調方式において、変調次数、各コンステレーションシンボルの確率、各コンステレーションシンボルとビットストリームとの間のマッピング関係、チャネルコーディング方式などを示すこともできる。
【０１４８】
ＰＳＤＵ長さは、物理レイヤデータフレーム中のＰＳＤＵの長さを識別するために使用される。予約済みフィールドは、以後の機能拡張をサポートするために使用される。ＨＣＳは、物理レイヤヘッダを検査するために使用される。
【０１４９】
データペイロードは、任意選択のフィールド（Ｏｐｔｉｏｎａｌ  Ｆｉｅｌｄ）、チャネル推定シーケンス（Ｃｈａｎｎｅｌ  Ｅｓｔｉｍａｔｉｏｎ  Ｓｅｑｕｅｎｃｅ、略してＣＥＳ）、及びＰＳＤＵを含む。任意選択のエリアは、以後の機能拡張のために使用される。ＣＥＳは、チャネル推定及びチャネル等化のために使用される。ＰＳＤＵは有効データであり、本出願のこの実施形態では、ＰＳＤＵは、確率不均一変調が実行されるデータであり得る。
【０１５０】
特に、ＰＭＣＳ−ＩＤは、復調パラメータ中で各情報を示すために使用される複数のビットを含み得る。受信端は、ＰＭＣＳ−ＩＤ中のビットの値、及び様々なビット値と復調パラメータ中の情報との間の対応のプリセットテーブルに基づいて、ＰＭＣＳ−ＩＤによって示される復調パラメータを決定し得る。
【０１５１】
例えば、ＰＭＣＳ−ＩＤはｍ６個のビットを含み得る。ａ1からａm1ビットは、確率不均一変調の変調方式を示すために使用される。ａ1からａm1ビットの値と、確率不均一変調の変調方式との間の対応関係については、表１を参照されたい。ａm1からａm2ビットは、確率不均一変調の変調次数を示すために使用される。ａm1からａm2ビットの値と、確率不均一変調の変調次数との間の対応関係については、表２を参照されたい。ａm2からａm3ビットは、各コンステレーションシンボルに対応するビットの量を示すために使用される。ａm2からａm3ビットの値と、コンステレーションシンボルに対応するビットの量との間の対応関係については、表３を参照されたい。ａm3からａm4ビットは、各コンステレーションシンボルの確率を示すために使用される。ａm3からａm4ビットの値と、コンステレーションシンボルの確率との間の対応関係については、表４を参照されたい。ａm4からａm5ビットは、コンステレーションシンボルとビットストリームとの間のマッピング関係を示すために使用される。ａm4からａm5ビットの値によって示される、コンステレーションシンボルとビットストリームとの間のマッピング関係については、表５を参照されたい。ａm5からａm6ビットは、チャネルコーディング方式を示すために使用される。ａm5からａm6ビットの値と、チャネルコーディング方式との間の対応関係については、表６を参照されたい。ＰＭＣＳ−ＩＤは、以後の機能拡張のために使用される、別のビットをさらに含み得る。
【０１５２】
【表１】
2021517792.tif 000003
【０１５３】
【表２】
2021517792.tif 000004
【０１５４】
【表３】
2021517792.tif 000005
【０１５５】
【表４】
2021517792.tif 000006
【０１５６】
【表５】
2021517792.tif 000007
【０１５７】
【表６】
2021517792.tif 000008
【０１５８】
この場合には、物理レイヤデータフレームを受信した後に、受信端は、最初にデータフレーム同期を実行し、データフレーム同期を完了した後にチャネル推定及びチャネル等化を実行し始める。チャネル推定及びチャネル等化が完了した後に、復調器は、データ上で確率不均一復調を実行する。本方法は、物理レイヤヘッダ中のＰＭＣＳ−ＩＤを取得することと、ＰＭＣＳ−ＩＤ、及び様々なビット値と復調パラメータ中の情報との間の対応のプリセットテーブル（例えば、上記の表１から表６）に基づいて、ＰＭＣＳ−ＩＤによって示される復調パラメータを取得することと、復調パラメータに基づいてデータ上で確率不均一復調を実行することとを特に含む。データ上で確率不均一復調が実施された後に、デコーダは、ソフト情報を使用することができるメッセージパッシング／伝搬（Ｍｅｓｓａｇｅ  Ｐａｓｓｉｎｇ、略してＭＰ）アルゴリズムを使用することによってデータを復号し得る。例えば、ＭＰアルゴリズムはｓｕｍ−ｐｒｏｄｕｃｔアルゴリズムであってよい。
【０１５９】
さらに、受信端における復調器は、検査シーケンスを使用することによってＰＭＣＳ−ＩＤが正しいことを検査した後に、ＰＭＣＳ−ＩＤによって示される復調パラメータを取得し得る。受信端における復調器が、ＰＭＣＳ−ＩＤを検査することに失敗したか又はデータを復調又は復号することに失敗した後に、受信端及び送信端は、データ再送信などの処理方法を使用してよい。詳細については、従来技術を参照されたい。
【０１６０】
この実装では、送信端は、受信端が復調パラメータを取得することを可能にするために、物理レイヤデータフレームに全ての復調パラメータを追加する必要はなく、物理レイヤデータフレームにＰＭＣＳ−ＩＤのみを追加する必要があり、従って、確率不均一復調のための復調パラメータは比較的小さい情報冗長性で搬送され、それにより、送信効率が改善され、送信リソースが節約される。
【０１６１】
（２）指示情報は、復調パラメータの第２の識別子及び第１の情報部を含み、第２の識別子は、復調パラメータの第２の情報部を示すために使用され、復調パラメータは、第１の情報部及び第２の情報部を含む。
【０１６２】
この場合には、特定の実装では、ステップ５０３は、受信端によって、物理レイヤデータフレームに基づいて復調パラメータの第１の情報部を取得することと、受信端によって、第２の識別子、及び識別子と復調パラメータとの間の対応関係に基づいて、データ上で確率不均一復調を実行するための復調パラメータの第２の情報部を決定することとを含んでよく、識別子は第２の識別子を含む。
【０１６３】
いくつかの実施形態では、第１の情報部は、情報Ａ及び情報Ｂを含み、情報Ａは、確率不均一変調が実行される各コンステレーションシンボルの確率であり、情報Ｂは、確率不均一変調が実行される各コンステレーションシンボルとビットストリームとの間のマッピング関係であり、情報Ａと情報Ｂは、物理レイヤデータフレームの物理レイヤヘッダ中の異なるフィールド中に配置される。
【０１６４】
確率不均一変調では、確率不均一変調が実行される各コンステレーションシンボルの複数の確率、及び確率不均一変調が実行される各コンステレーションシンボルとビットストリームとの間の複数のマッピング関係があり得ることに留意されたい。受信端が、上記のテーブルをルックアップすることによって確率又はマッピング関係を決定する場合、受信端は、大きい時間量を消費する必要がある。この場合、これらの２つの情報は物理レイヤデータフレーム中で直接搬送されてよく、それにより、受信端の復調複雑性が低減される。
【０１６５】
もちろん、特定の実装では、復調パラメータ中の他の情報が、要件に基づいて物理レイヤデータフレーム中で直接搬送されてよい。これは、本出願のこの実施形態では限定されない。
【０１６６】
この場合、送信端によって生成される物理レイヤデータフレームについては、図１２を参照されたい。図１１と比較して、図１２では、変調次数及び確率（Ｍｏｄｕｌａｔｉｏｎ  Ｏｒｄｅｒ  ａｎｄ  Ｐｒｏｂａｂｉｌｉｔｙ、略してＭＯＰ）モジュール、及びビットストリームマッピング（Ｂｉｔ−ｓｔｒｅａｍ  ａｎｄ  Ｓｙｍｂｏｌ  Ｍａｐｐｉｎｇ、略してＢＳＭ）モジュールが物理レイヤヘッダに追加される。モジュールはフィールドとして理解されてもよい。
【０１６７】
第２の識別子はＰＭＣＳ−ＩＤと呼ばれることもある。この場合、ＰＭＣＳ−ＩＤは、復調パラメータ中で一部の情報のみを示す必要がある。
【０１６８】
実装では、ＰＭＣＳ−ＩＤは、復調パラメータ中で、確率不均一変調の変調方式、確率不均一変調が実行される各コンステレーションシンボルに対応するビット量に関する情報、及び確率不均一変調の変調次数を示し得る。
【０１６９】
確率不均一変調が実行される各コンステレーションシンボルの確率は、ＭＯＰモジュール（又はＭＯＰフィールドと呼ばれ、このフィールドは代替として別の名前を有し得る）中に含められてよい。確率不均一変調が実行される各コンステレーションシンボルとビットストリームとの間のマッピング関係は、ＢＳＭモジュール（又はＢＳＭフィールドと呼ばれ、このフィールドは代替として別の名前を有し得る）中に含められてよい。
【０１７０】
この場合には、物理レイヤデータフレームを受信した後に、受信端は、最初にデータフレーム同期を実行し、データフレーム同期を完了した後にチャネル推定及びチャネル等化を実行し始める。チャネル推定及びチャネル等化が完了した後に、復調器は、データ上で確率不均一復調を実行する。本方法は、物理レイヤヘッダ中のＰＭＣＳ−ＩＤを取得することと、ＰＭＣＳ−ＩＤ、及び、様々なビット値と復調パラメータ中の情報との間の対応のプリセットテーブル（例えば、上記の表１、表２、及び表３）に基づいて、ＰＭＣＳ−ＩＤによって示される復調パラメータ中で、確率不均一変調の変調方式、確率不均一変調が実行される各コンステレーションシンボルに対応するビット量情報、及び確率不均一変調の変調次数を取得することと、ＭＯＰモジュール及びＢＳＭモジュールから、復調パラメータ中で、確率不均一変調が実行される各コンステレーションシンボルの確率、及び確率不均一変調が実行される各コンステレーションシンボルとビットストリームとの間のマッピング関係を取得することと、取得された復調パラメータに基づいてデータ上で確率不均一復調を実行することとを特に含む。データ上で確率不均一復調を実行した後に、デコーダは、ソフト情報を使用することができるＭＰアルゴリズム（例えば、ｓｕｍ−ｐｒｏｄｕｃｔアルゴリズム）を使用することによってデータ復号を実行し得る。
【０１７１】
別の実装では、ＰＭＣＳ−ＩＤは、復調パラメータ中で、確率不均一変調の変調方式、及び確率不均一変調が実行される各コンステレーションシンボルに対応するビット量情報を示し得る。
【０１７２】
復調パラメータ中の、確率不均一変調の変調次数、及び確率不均一変調が実行される各コンステレーションシンボルの確率は、ＭＯＰモジュール（又はＭＯＰフィールドと呼ばれ、このフィールドは代替として別の名前を有し得る）中に含められてよい。確率不均一変調が実行される各コンステレーションシンボルとビットストリームとの間のマッピング関係は、ＢＳＭモジュール（又はＢＳＭフィールドと呼ばれ、このフィールドは代替として別の名前を有し得る）中に含められてよい。
【０１７３】
この場合には、物理レイヤデータフレームを受信した後に、受信端は、最初にデータフレーム同期を実行し、データフレーム同期を完了した後にチャネル推定及びチャネル等化を実行し始める。チャネル推定及びチャネル等化が完了した後に、復調器は、データ上で確率不均一復調を実行する。本方法は、物理レイヤヘッダ中のＰＭＣＳ−ＩＤを取得することと、ＰＭＣＳ−ＩＤ、及び様々なビット値と復調パラメータ中の情報との間の対応のプリセットテーブル（例えば、上記の表１及び表３）に基づいて、ＰＭＣＳ−ＩＤによって示される復調パラメータ中で、確率不均一変調の変調方式、及び各コンステレーションシンボルに対応するビット量情報を取得することと、ＭＯＰモジュール及びＢＳＭモジュールから、復調パラメータ中で、確率不均一変調の変調次数、確率不均一変調が実行される各コンステレーションシンボルの確率、及び確率不均一変調が実行される各コンステレーションシンボルとビットストリームとの間のマッピング関係を取得することと、取得された復調パラメータに基づいてデータ上で確率不均一復調を実行することとを特に含む。データ上で確率不均一復調を実行した後に、デコーダは、ソフト情報を使用することができるＭＰアルゴリズム（例えば、ｓｕｍ−ｐｒｏｄｕｃｔアルゴリズム）を使用することによってデータ復号を実行し得る。
【０１７４】
さらに、受信端における復調器は、検査シーケンスを使用することによってＰＭＣＳ−ＩＤ、ＭＯＰモジュール、及びＢＳＭモジュールが正しいことを検査した後に、ＰＭＣＳ−ＩＤによって示される復調パラメータと、ＭＯＰモジュール及びＢＳＭモジュール中に含まれる復調パラメータとを取得し得る。受信端における復調器が、ＰＭＣＳ−ＩＤ、ＭＯＰモジュール、又はＢＳＭモジュールを検査することに失敗したか、又はデータを復調及び復号することに失敗した後に、受信端及び送信端は、データ再送などの処理方法を使用してよい。詳細については、従来技術を参照されたい。
【０１７５】
この実装では、送信端は、物理レイヤデータフレームにＰＭＣＳ−ＩＤを追加し、物理レイヤデータフレームに復調パラメータのいくつかを追加し、従って、受信端は、復調パラメータのいくつかを直接取得することができ、それにより、復調器の復調遅延及び復調複雑性を低減する。
【０１７６】
確率一様変調と比較して、本出願のいくつかの実施形態において提供される方法で実装される確率不均一変調は、非等確率コンステレーションシンボルを生成し、従って、ソース情報エントロピー及び入出力相互情報量はより大きくなり、確率不均一コンステレーションシンボルによって達成されるチャネル容量はより大きくなる。従って、同じ入力振幅制約、同じ信号電力、同じ信号対ノイズ比、及び同じビットエラーレート性能の場合において、より高い周波数帯域利用が取得されることが可能である。本出願のいくつかの実施形態では、追加されたＭＯＰ及びＢＳＭモジュールは、復調パラメータ中で情報を直接搬送することができ、それにより、よりフレキシブルであり、より高い量子化精度を有するコンステレーションシンボル確率をサポートする。本出願のいくつかの実施形態における確率不均一コンステレーションシンボルは、Ｎ次元信号空間に拡張されてよい（Ｎ≧１であり、Ｎは正の整数である）。
【０１７７】
上記では、主に方法の観点から本出願の実施形態の解決策について説明している。上記の機能を実装するために、確率不均一変調に基づくデータ送信装置は、機能を実施するための対応するハードウェア構造及び／又はソフトウェアモジュールを含むことが理解されよう。当業者は、本明細書で開示される実施形態において説明される例のユニット及びアルゴリズムステップとの関連において、本出願が、ハードウェア又はハードウェアとコンピュータソフトウェアとの組合せによって実装され得ることに容易に気づくはずである。機能が、ハードウェアによって実行されるか、又はコンピュータソフトウェアによって駆動されるハードウェアによって実行されるかは、技術的解決策の特定の適用例及び設計制約に依存する。当業者は、特定の適用例ごとに説明される機能を実装するために異なる方法を使用してよいが、その実装が本出願の範囲を越えると考えられるべきではない。
【０１７８】
本出願の実施形態では、確率不均一変調に基づくデータ送信装置の機能ユニットは、上記の方法例に基づいて分割され得る。例えば、各機能ユニットが、各対応する機能に基づく分割を通して取得され得るか、又は２つ以上の機能が、１つの処理ユニットに一体化され得る。一体化されたユニットは、ハードウェアの形態で実装され得るか、又はソフトウェア機能ユニットの形態で実装され得る。本出願のこの実施形態では、ユニット分割は例示的であり、論理的機能分割に過ぎないことに留意されたい。実際の実装では、別の分割方式が使用されてよい。
【０１７９】
例えば、一体化された機能モジュールが使用されるとき、図１３は、上記の実施形態における装置の可能な概略構造図である。装置１３０は、上記の送信端又は受信端であり得る。図１３を参照すると、装置１３０は、処理ユニット１３０１及び通信ユニット１３０２を含み得る。装置は、記憶ユニット１３０３をさらに含み得る。
【０１８０】
装置１３０が送信端であるとき、処理ユニット１３０１は、送信端の動作を制御及び管理するように構成される。例えば、処理ユニット１３０１は、図１０のステップ１００１及び１００２、及び／又は本出願の実施形態で説明される別の処理において送信端によって実行される動作を実施する際に送信端をサポートするように構成される。通信ユニット１３０２は、別のネットワークデバイスと通信する際に、例えば、図１０の受信端と通信する際に送信端をサポートするように構成される。記憶ユニット１３０３は、送信端のプログラムコード及びデータを記憶するように構成される。
【０１８１】
装置１３０が受信端であるとき、処理ユニット１３０１は、受信端の動作を制御及び管理するように構成される。例えば、処理ユニット１３０１は、図１０のステップ１００３及び１００４、及び／又は本出願の実施形態で説明される別の処理において受信端によって実行される動作を実施する際に受信端をサポートするように構成される。通信ユニット１３０２は、別のネットワークデバイスと通信する際に、例えば、図１０の送信端と通信する際に受信端をサポートするように構成される。記憶ユニット１３０３は、受信端のプログラムコード及びデータを記憶するように構成される。
【０１８２】
ある場合には、処理ユニット１３０１はプロセッサ又はコントローラであってよく、通信ユニット１３０２は通信インターフェースであってよく、記憶ユニット１３０３はメモリであってよい。処理ユニット１３０１がプロセッサであり、通信ユニット１３０２が通信インターフェースであり、記憶ユニット１３０３がメモリであるとき、本出願のこの実施形態における装置は、図８に示されている装置であってよい。
【０１８３】
図８に示されている装置が送信端であるとき、プロセッサ８０１は、送信端の動作を制御及び管理するように構成される。例えば、プロセッサ８０１は、図１０のステップ１００１及び１００２、及び／又は本出願の実施形態で説明される別の処理において送信端によって実行される動作を実施する際に送信端をサポートするように構成される。通信インターフェース８０４は、別のネットワークデバイスと通信する際に、例えば、図１０の受信端と通信する際に送信端をサポートするように構成される。メモリ８０３は、送信端のプログラムコード及びデータを記憶するように構成される。
【０１８４】
図８に示されている装置が受信端であるとき、プロセッサ８０１は、受信端の動作を制御及び管理するように構成される。例えば、プロセッサ８０１は、図１０のステップ１００３及び１００４、及び／又は本出願の実施形態で説明される別の処理において受信端によって実行される動作を実施する際に受信端をサポートするように構成される。通信インターフェース８０４は、別のネットワークデバイスと通信する際に、例えば、図１０の送信端と通信する際に受信端をサポートするように構成される。メモリ８０３は、受信端のプログラムコード及びデータを記憶するように構成される。
【０１８５】
別の場合には、本出願のこの実施形態における装置は、図９に示されている装置であってよい。
【０１８６】
図９に示されている装置が送信端であるとき、処理ユニット１３０１はベースバンド処理モジュール９０３であってよく、通信ユニット１３０２は光源ドライバ９０４及び光源９０５を含んでよく、記憶ユニット１３０３はメモリ９０２であってよい。ベースバンド処理モジュール９０３、光源ドライバ９０４、及び光源９０５は、メモリ９０２に記憶されたプログラム命令に基づいてプロセッサ９０１の制御下で、上記の方法における送信端の動作を実施する。ベースバンド処理モジュール９０３、光源ドライバ９０４、及び光源９０５の機能については、上記の説明を参照されたい。詳細について本明細書で再び説明されない。
【０１８７】
図９に示されている装置が受信端であるとき、処理ユニット１３０１はベースバンド処理モジュール９０３であってよく、通信ユニット１３０２は光電検出器９０６及び光アンテナ９０７を含んでよく、記憶ユニット１３０３はメモリ９０２であってよい。ベースバンド処理モジュール９０３、光電検出器９０６、及び光アンテナ９０７は、メモリ９０２に記憶されたプログラム命令に基づいてプロセッサ９０１の制御下で、上記の方法における受信端の動作を実施する。ベースバンド処理モジュール９０３、光電検出器９０６、及び光アンテナ９０７の機能については、上記の説明を参照されたい。詳細について本明細書で再び説明されない。本出願の実施形態は、命令を含む、コンピュータ可読記憶媒体をさらに提供する。命令がコンピュータ上で実行されたとき、コンピュータは、上記の方法を実施することを可能にされる。
【０１８８】
本出願の実施形態は、命令を含むコンピュータプログラム製品をさらに提供する。コンピュータプログラム製品がコンピュータ上で実行されたとき、コンピュータは、上記の方法を実施することを可能にされる。
【０１８９】
上記の実施形態の全部又は一部は、ソフトウェア、ハードウェア、ファームウェア、又はそれらの任意の組合せを使用することによって実装され得る。実施形態を実装するためにソフトウェアプログラムが使用されるとき、実施形態は、完全に又は部分的にコンピュータプログラム製品の形態で実装され得る。コンピュータプログラム製品は１つ又は複数のコンピュータ命令を含む。コンピュータプログラム命令がコンピュータ上にロードされ、実行されたとき、本出願の実施形態による手順又は機能が全て又は部分的に生成される。コンピュータは、汎用コンピュータ、専用コンピュータ、コンピュータネットワーク、又は他のプログラマブル装置であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、有線（例えば、同軸ケーブル、光ファイバー、又はデジタル加入者線（Ｄｉｇｉｔａｌ  Ｓｕｂｓｃｒｉｂｅｒ  Ｌｉｎｅ、略してＤＳＬ））又は無線（例えば、赤外線、無線、又はマイクロ波）方式でウェブサイト、コンピュータ、サーバ、又はデータセンタから別のウェブサイト、コンピュータ、サーバ、又はデータセンタに送信され得る。コンピュータ記憶媒体は、コンピュータによってアクセス可能な任意の使用可能な媒体であるか、又は１つ又は複数の使用可能な媒体を組み込んでいるサーバ又はデータセンタなどのデータ記憶デバイスであり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Ｓｏｌｉｄ  Ｓｔａｔｅ  Ｄｉｓｋ、略してＳＳＤ））などであり得る。
【０１９０】
本出願について実施形態に関して説明されたが、保護を請求する本出願を実装する工程では、当業者は、添付の図面、開示された内容、及び添付の特許請求の範囲を閲覧することによって、開示された実施形態の別の変形形態を理解し、実装してよい。特許請求の範囲において、「含む」は、別の構成要素又は別のステップを除外せず、「ある」又は「１つの」は、複数の意味を除外しない。単一のプロセッサ又は別のユニットは、特許請求の範囲において列挙されたいくつかの機能を実装し得る。いくつかの方策が、互いに異なる従属請求項に記録されるが、これは、より良い効果を奏するためにこれらの方策が組み合わされることが不可能であることを意味しない。
【０１９１】
本出願についてそれの特定の特徴及び実施形態に関して説明されたが、明らかに、それらには、本出願の趣旨及び範囲から逸脱することなく、様々な変更及び組合せが行われてよい。対応して、本明細書及び添付の図面は、添付の特許請求の範囲によって定義される本出願の例示的な説明にすぎず、本出願の範囲を包含するいずれかの又は全ての変更形態、変形形態、組合せ又は均等物として見なされる。
【図１】
2021517792.tif 000009
【図２】
2021517792.tif 000010
【図３】
2021517792.tif 000011
【図４】
2021517792.tif 000012
【図５】
2021517792.tif 000013
【図６】
2021517792.tif 000014
【図７】
2021517792.tif 000015
【図８】
2021517792.tif 000016
【図９】
2021517792.tif 000017
【図１０】
2021517792.tif 000018
【図１１】
2021517792.tif 000019
【図１２】
2021517792.tif 000020
【図１３】
2021517792.tif 000021
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
送信端によって、物理レイヤデータフレームを生成するステップであって、前記物理レイヤデータフレームは、確率不均一変調が実行されるデータと指示情報とを含み、前記指示情報は、前記データ上で確率不均一復調を実行するための復調パラメータを示すために用いられ、前記復調パラメータは、確率不均一変調の変調方式と、確率不均一変調の変調次数とを含み、前記復調パラメータは、以下のもの、即ち、確率不均一変調が実行される各コンステレーションシンボルの確率、及び、確率不均一変調が実行される各コンステレーションシンボルとビットストリームとの間のマッピング関係、のうちの少なくとも１つをさらに含む、ステップと、
前記送信端によって、前記物理レイヤデータフレームを受信端に送信するステップと、を含む
確率不均一変調に基づくデータ送信方法。
【請求項２】
前記復調パラメータは、確率不均一変調が実行される各コンステレーションシンボルに対応するビットの量をさらに含む
請求項１に記載の確率不均一変調に基づくデータ送信方法。
【請求項３】
前記指示情報は、前記復調パラメータである
請求項１又は２に記載の確率不均一変調に基づくデータ送信方法。
【請求項４】
前記指示情報は、第１の識別子であり、前記第１の識別子は、前記復調パラメータを示すために用いられる
請求項１又は２に記載の確率不均一変調に基づくデータ送信方法。
【請求項５】
前記指示情報は、第２の識別子と、前記復調パラメータの第１の情報部とを含み、前記第２の識別子は、前記復調パラメータの第２の情報部を示すために用いられ、前記復調パラメータは、前記第１の情報部と前記第２の情報部とを含む
請求項１又は２に記載の確率不均一変調に基づくデータ送信方法。
【請求項６】
前記第１の情報部は、情報Ａ及び情報Ｂを含み、前記情報Ａは、確率不均一変調が実行される各コンステレーションシンボルの確率であり、前記情報Ｂは、確率不均一変調が実行される各コンステレーションシンボルとビットストリームとの間のマッピング関係であり、前記情報Ａ及び前記情報Ｂは、前記物理レイヤデータフレームの物理レイヤヘッダ内の異なるフィールドに配置される
請求項５に記載の確率不均一変調に基づくデータ送信方法。
【請求項７】
確率不均一変調に基づく前記データ送信方法は、
前記送信端が前記物理レイヤデータフレームを生成する前に、
前記送信端によって、マルチレベルコーダ及び決定論的等長マッパを用いることによって前記データを生成するステップ、又は
前記送信端によって、シングルレベルコーダ及び決定論的等長マッパを用いることによって前記データを生成するステップ、をさらに含む
請求項１〜６のいずれか１項に記載の確率不均一変調に基づくデータ送信方法。
【請求項８】
前記指示情報は、前記物理レイヤデータフレームの物理レイヤヘッダ内に配置される
請求項１〜７のいずれか１項に記載の確率不均一変調に基づくデータ送信方法。
【請求項９】
前記物理レイヤデータフレームは、光無線通信のために用いられる、
請求項１〜８のいずれか１項に記載の確率不均一変調に基づくデータ送信方法。
【請求項１０】
受信端によって、物理レイヤデータフレームを受信するステップであって、前記物理レイヤデータフレームは、確率不均一変調が実行されるデータと指示情報とを含み、前記指示情報は、前記データ上で確率不均一復調を実行するための復調パラメータを示すために用いられ、前記復調パラメータは、確率不均一変調の変調方式と、確率不均一変調の変調次数とを含み、前記復調パラメータは、以下のもの、即ち、確率不均一変調が実行される各コンステレーションシンボルの確率、及び、確率不均一変調が実行される各コンステレーションシンボルとビットストリームとの間のマッピング関係、のうちの少なくとも１つをさらに含む、ステップと、
前記受信端によって、前記指示情報に基づいて前記復調パラメータを決定するステップと、
前記受信端によって、前記復調パラメータに基づいて前記データ上での確率不均一復調を実行するステップと、を含む
確率不均一変調に基づくデータ送信方法。
【請求項１１】
前記復調パラメータは、確率不均一変調が実行される各コンステレーションシンボルに対応するビットの量をさらに含む
請求項１０に記載の確率不均一変調に基づくデータ送信方法。
【請求項１２】
前記指示情報は、第２の識別子と、前記復調パラメータの第１の情報部とを含み、前記第２の識別子は、前記復調パラメータの第２の情報部を示すために用いられ、前記復調パラメータは、前記第１の情報部と前記第２の情報部とを含み、
前記受信端によって、前記指示情報に基づいて前記復調パラメータを決定する前記ステップは、
前記受信端によって、前記物理レイヤデータフレームに基づいて、前記復調パラメータの前記第１の情報部を取得するステップと、
前記受信端によって、前記第２の識別子、及び、識別子と復調パラメータとの間の対応関係に基づいて、前記データ上で確率不均一復調を実行するための前記復調パラメータの前記第２の情報部を決定するステップであって、前記識別子は、前記第２の識別子を含む、ステップと、を含む
請求項１０又は１１に記載の確率不均一変調に基づくデータ送信方法。
【請求項１３】
前記受信端によって、前記復調パラメータに基づいて、前記データ上で確率不均一復調を実行する前記ステップは、
マルチレベルコーダ及び決定論的等長マッパを用いることによって前記データが生成されているとき、前記受信端によって、マルチレベルデコーダ及び前記復調パラメータを用いることによって、前記データ上で確率不均一復調を実行するステップ、又は
シングルレベルコーダ及び決定論的等長マッパを用いることによって前記データが生成されているとき、前記受信端によって、ジョイントデマッピングデコーダ及び前記復調パラメータを用いることによって、前記データ上で確率不均一復調を実行するステップを含む
請求項１０〜１２のいずれか１項に記載の確率不均一変調に基づくデータ送信方法。
【請求項１４】
請求項１〜１３のいずれか１項に記載の前記方法を実行するように構成された、確率不均一変調に基づくデータ送信装置。
【請求項１５】
命令を含むコンピュータ可読記録媒体であって、前記命令がコンピュータ上で実行されるとき、前記コンピュータが、請求項１〜１３のいずれか１項に記載の前記方法を実行できるようになる、コンピュータ可読記録媒体。
【請求項１６】
命令を含むコンピュータプログラムであって、前記コンピュータプログラムがコンピュータ上で実行されるとき、前記コンピュータが、請求項１〜１３のいずれか１項に記載の前記方法を実行できるようになる、コンピュータプログラム。
【手続補正２】
【補正対象書類名】明細書
【補正対象項目名】００８０
【補正方法】変更
【補正の内容】
【００８０】
図３を参照すると、９つのビットストリームグループ［００］、［０１０］、［１１０］、［０１１］、［１００］、［１１１０］、［１１１１］、［１０１０］、及び［１０１１］が設定される。［００］がマッピングされるコンステレーションシンボルはＳ1であり、Ｓ1の確率はｐ（Ｓ1）＝１／４である。［０１０］がマッピングされるコンステレーションシンボルはＳ2であり、Ｓ2の確率はｐ（Ｓ2）＝１／８である。［１１０］がマッピングされるコンステレーションシンボルはＳ3であり、Ｓ3の確率はｐ（Ｓ3）＝１／８である。［０１１］がマッピングされるコンステレーションシンボルはＳ4であり、Ｓ4の確率はｐ（Ｓ4）＝１／８である。［１００］がマッピングされるコンステレーションシンボルはＳ5であり、Ｓ5の確率はｐ（Ｓ5）＝１／８である。［１１１０］がマッピングされるコンステレーションシンボルはＳ6であり、Ｓ6の確率はｐ（Ｓ6）＝１／１６である。［１１１１］がマッピングされるコンステレーションシンボルはＳ7であり、Ｓ7の確率はｐ（Ｓ7）＝１／１６である。［１０１０］がマッピングされるコンステレーションシンボルはＳ8であり、Ｓ8の確率はｐ（Ｓ8）＝１／１６である。［１０１１］がマッピングされるコンステレーションシンボルはＳ9であり、Ｓ9の確率はｐ（Ｓ9）＝１／１６である。この場合、コンステレーション図中のコンステレーションシンボルの位置については、図３を参照されたい。
【手続補正３】
【補正対象書類名】明細書
【補正対象項目名】００８７
【補正方法】変更
【補正の内容】
【００８７】
方式２：図６を参照すると、送信端において、元のビットストリームは、マルチレベルコーダ（Ｍｕｌｔｉ−ｌｅｖｅｌ  Ｃｏｄｉｎｇ、略してＭＬＣ）によってチャネルコーディングされて等確率符号化ビットストリームを取得し、等確率符号化ビットストリームは、決定論的（ｄｅｔｅｒｍｉｎｉｓｔｉｃ）等長マッパによってマッピングされて、確率不均一コンステレーションシンボルを生成する。受信端において、マルチレベルデコーダ（Ｍｕｌｔｉ−ｌｅｖｅｌ  Ｄｅｃｏｄｉｎｇ、略してＭＳＤ）は、確率不均一コンステレーションシンボル上で、マルチレベル復号を実行して元のビットストリームを取得する。
【手続補正４】
【補正対象書類名】明細書
【補正対象項目名】０１２７
【補正方法】変更
【補正の内容】
【０１２７】
いくつかの実施形態では、指示情報は、物理レイヤデータフレームの物理レイヤヘッダ中に配置される。いくつかの実施形態では、物理レイヤヘッダ検査シーケンス（Ｈｅａｄｅｒ  Ｃｈｅｃｋ  Ｓｅｑｕｅｎｃｅ、略してＨＣＳ）を使用することによって検査保護が指示情報上で実行される。
【国際調査報告】
2021517792.tif 000022
2021517792.tif 000023
2021517792.tif 000024
2021517792.tif 000025
2021517792.tif 000026
2021517792.tif 000027